(57)【要約】      （修正有）【課題】選択的流体遮断弁装置および治療方法を提供する。【解決手段】選択的流体遮断弁装置１０は、ハウジング１６、アクチュエータ１８、スリーブ２０、ワイヤ部材２２、２４、２６およびコネクタ２８を備える。スリーブは、スリーブを通して延在する通路を画定している。アクチュエータは、第１位置と第２位置との間で移動可能である。アクチュエータが第１位置にある時、スリーブは第１形態にあり、流体がスリーブによって画定された通路を通過することができる。アクチュエータが第２位置にある時、スリーブは第２形態にあり、流体はスリーブによって画定された通路を通過することが阻止される。【選択図】図２
2015208685.tif 000002
【特許請求の範囲】
【請求項１】
長手方向軸を有する選択的流体遮断弁装置であって、
ハウジング基端部と、ハウジング先端部と、ハウジング通路および第１開口部を画定するハウジング本体とを有するハウジングであって、前記ハウジング通路が、前記ハウジングを通して延在し、前記第１開口部が、前記ハウジング本体を通して延在しかつ前記ハウジング通路へのアクセスを提供する、ハウジングと、
前記ハウジングに移動可能に取り付けられかつ第１位置と第２位置との間で移動可能なアクチュエータと、
前記ハウジング通路内に配置されたスリーブであって、スリーブ基端部と、スリーブ先端部と、前記スリーブを通って延在するスリーブ通路を画定するスリーブ本体とを有し、流体が前記スリーブ通路を通過することができるように前記スリーブ通路が開放される第１形態と、前記スリーブ通路が閉鎖されて流体が前記スリーブ通路を通過するのを阻止する第２形態との間で移動可能なスリーブと、
前記ハウジングに取り付けられた第１ワイヤ部材第１端部と、前記アクチュエータに取り付けられた第１ワイヤ部材第２端部とを有する第１ワイヤ部材であって、前記ハウジングと前記スリーブとの間にかつ前記ハウジングによって画定された前記第１開口部を通って延在する第１ワイヤ部材と、
を具備し、
前記アクチュエータが前記第１位置にある時、前記スリーブが前記第１形態にあり、前記スリーブ基端部が前記ハウジング基端部から第１距離に配置され、
前記アクチュエータが前記第２位置にある時、前記スリーブが前記第２形態にあり、前記スリーブ基端部が前記ハウジング基端部から第２距離に配置され、
前記第２距離が前記第１距離とは異なる、選択的流体遮断弁装置。
【請求項２】
前記第２距離が前記第１距離より大きい、請求項１に記載の選択的流体遮断弁装置。
【請求項３】
前記ハウジングに取り付けられた第２ワイヤ部材第１端部と前記アクチュエータに取り付けられた第２ワイヤ部材第２端部とを有する第２ワイヤ部材をさらに具備し、
前記ハウジング本体が、前記ハウジング本体を通って延在しかつ前記ハウジング通路へのアクセスを提供する第２開口部を画定し、
前記第２ワイヤ部材が、前記ハウジングと前記スリーブとの間にかつ前記ハウジングによって画定された前記第２開口部を通って延在する、請求項１に記載の選択的流体遮断弁装置。
【請求項４】
前記ハウジングに取り付けられた第３ワイヤ部材第１端部と前記アクチュエータに取り付けられた第３ワイヤ部材第２端部とを有する第３ワイヤ部材をさらに具備し、
前記ハウジング本体が、前記ハウジング本体を通って延在しかつ前記ハウジング通路へのアクセスを提供する第３開口部を画定し、
前記第３ワイヤ部材が、前記ハウジングと前記スリーブとの間にかつ前記ハウジングによって画定された前記第３開口部を通って延在する、請求項３に記載の選択的流体遮断弁装置。
【請求項５】
前記第１ワイヤ部材が、第１部分、第２部分および第３部分を有し、前記第２部分が、前記第１部分と前記第３部分との間に配置され、前記第１ワイヤ部材が、前記第１部分が前記ハウジング基端部から第３距離に配置され、前記第３部分が前記ハウジング基端部から第４距離に配置され、かつ前記第２部分が前記ハウジング基端部から第５距離に配置されるように、前記選択的流体遮断弁装置の前記長手方向軸に対して傾斜した角度で配置され、前記第５距離が前記第３距離および前記第４距離とは異なる、請求項１に記載の選択的流体遮断弁装置。
【請求項６】
前記第３距離が前記第５距離より大きく、
前記第４距離が前記第５距離より大きい、請求項５に記載の選択的流体遮断弁装置。
【請求項７】
前記スリーブ本体が、前記スリーブ通路内にかつ前記選択的流体遮断弁装置の前記長手方向軸に向かって延在する突起を画定する、請求項１に記載の選択的流体遮断弁装置。
【請求項８】
前記ハウジングが、ハウジング外面およびハウジング内面を有し、
前記ハウジング本体が、前記ハウジング内面から前記ハウジング外面に向かって延在するハウジング空洞を画定し、前記ハウジング空洞が、前記選択的流体遮断弁装置の前記長手方向軸に対して角度をなして配置された長手方向軸を有し、
前記第１ワイヤ部材第１端部が前記ハウジング空洞内に配置される、請求項１に記載の選択的流体遮断弁装置。
【請求項９】
前記ハウジング空洞の前記長手方向軸が、前記選択的流体遮断弁装置の前記長手方向軸に対して傾斜した角度で配置される、請求項８に記載の選択的流体遮断弁装置。
【請求項１０】
前記アクチュエータが、アクチュエータ外面およびアクチュエータ内面を有し、
前記アクチュエータの本体が、前記アクチュエータ内面から前記アクチュエータ外面まで延在するアクチュエータ空洞を画定し、前記アクチュエータ空洞が、前記選択的流体遮断弁装置の前記長手方向軸に対して平行な長手方向軸を有し、
前記第１ワイヤ部材第２端部が前記アクチュエータ空洞内に配置される、請求項１に記載の選択的流体遮断弁装置。
【請求項１１】
前記ハウジング本体が、前記ハウジング通路内に複数の溝を画定し、
前記スリーブがスリーブ外面およびスリーブ内面を有し、前記スリーブ本体が、前記スリーブ外面からかつ前記スリーブ内面から離れるように延在する複数の隆起部を画定し、
前記スリーブ本体によって画定された前記複数の隆起部の各隆起部が、前記ハウジング本体によって画定された前記複数の溝のうちの１つの溝によって受け入れられるようにサイズが決められかつ構成されており、
前記スリーブ本体によって画定された前記複数の隆起部のうちの少なくとも１つの隆起部が、前記ハウジング本体によって画定された前記複数の溝のうちの１つの溝に配置される、請求項１に記載の選択的流体遮断弁装置。
【請求項１２】
長手方向軸を有する選択的流体遮断弁装置であって、
ハウジング基端部と、ハウジング先端部と、ハウジング通路、第１開口部、第２開口部および第３開口部を画定するハウジング本体とを有するハウジングであって、前記ハウジング通路が、前記ハウジングを通して延在し、前記第１開口部、前記第２開口部および前記第３開口部の各々が、前記ハウジング本体を通って延在しかつ前記ハウジング通路へのアクセスを提供する、ハウジングと、
前記ハウジングに移動可能に取り付けられかつ第１位置と第２位置との間で移動可能なアクチュエータと、
前記ハウジング通路内に配置されたスリーブであって、スリーブ基端部と、スリーブ先端部と、前記スリーブを通って延在するスリーブ通路を画定するスリーブ本体とを有し、流体が前記スリーブ通路を通過することができるように前記スリーブ通路が開放される第１形態と、前記スリーブ通路が閉鎖されて流体が前記スリーブ通路を通過するのを阻止する第２形態との間で移動可能なスリーブと、
前記ハウジングに取り付けられた第１ワイヤ部材第１端部と、前記アクチュエータに取り付けられた第１ワイヤ部材第２端部とを有する第１ワイヤ部材であって、前記ハウジングと前記スリーブとの間にかつ前記ハウジングによって画定された前記第１開口部を通って延在する第１ワイヤ部材と、
前記ハウジングに取り付けられた第２ワイヤ部材第１端部と前記アクチュエータに取り付けられた第２ワイヤ部材第２端部とを有する第２ワイヤ部材であって、前記ハウジングと前記スリーブとの間にかつ前記ハウジングによって画定された前記第２開口部を通って延在する第２ワイヤ部材と、
前記ハウジングに取り付けられた第３ワイヤ部材第１端部と前記アクチュエータに取り付けられた第３ワイヤ部材第２端部とを有する第３ワイヤ部材であって、前記ハウジングと前記スリーブとの間にかつ前記ハウジングによって画定された前記第３開口部を通って延在する第３ワイヤ部材と、
を具備し、
前記アクチュエータが前記第１位置にある時、前記スリーブが前記第１形態にあり、前記スリーブ基端部が前記ハウジング基端部から第１距離に配置され、
前記アクチュエータが前記第２位置にある時、前記スリーブが前記第２形態にあり、前記スリーブ基端部が前記ハウジング基端部から第２距離に配置され、
前記第２距離が前記第１距離より大きい、選択的流体遮断弁装置。
【請求項１３】
前記第１ワイヤ部材が、第１部分、第２部分および第３部分を有し、前記第２部分が、前記第１部分と前記第３部分との間に配置され、前記第１ワイヤ部材が、前記第１部分が前記ハウジング基端部から第３距離に配置され、前記第３部分が前記ハウジング基端部から第４距離に配置され、かつ前記第２部分が前記ハウジング基端部から第５距離に配置されるように、前記選択的流体遮断弁装置の前記長手方向軸に対して傾斜した角度で配置され、前記第５距離が前記第３距離および前記第４距離とは異なる、請求項１２に記載の選択的流体遮断弁装置。
【請求項１４】
前記第３距離が前記第５距離より大きく、
前記第４距離が前記第５距離より大きい、請求項１３に記載の選択的流体遮断弁装置。
【請求項１５】
前記スリーブ本体が、前記スリーブ通路内にかつ前記選択的流体遮断弁装置の前記長手方向軸に向かって延在する突起を画定する、請求項１２に記載の選択的流体遮断弁装置。
【請求項１６】
前記ハウジングが、ハウジング外面およびハウジング内面を有し、
前記ハウジング本体が、前記ハウジング内面から前記ハウジング外面に向かって延在するハウジング空洞を画定し、前記ハウジング空洞が、前記選択的流体遮断弁装置の前記長手方向軸に対して角度をなして配置された長手方向軸を有し、
前記第１ワイヤ部材第１端部が前記ハウジング空洞内に配置される、請求項１２に記載の選択的流体遮断弁装置。
【請求項１７】
前記ハウジング空洞の前記長手方向軸が、前記選択的流体遮断弁装置の前記長手方向軸に対して傾斜した角度で配置される、請求項１６に記載の選択的流体遮断弁装置。
【請求項１８】
前記アクチュエータが、アクチュエータ外面およびアクチュエータ内面を有し、
前記アクチュエータ本体が、前記アクチュエータ内面から前記アクチュエータ外面まで延在するアクチュエータ空洞を画定し、前記アクチュエータ空洞が、前記選択的流体遮断弁装置の前記長手方向軸に対して平行な長手方向軸を有し、
前記第１ワイヤ部材第２端部が前記アクチュエータ空洞内に配置される、請求項１２に記載の選択的流体遮断弁装置。
【請求項１９】
前記ハウジング本体が、前記ハウジング通路内に複数の溝を画定し、
前記スリーブがスリーブ外面およびスリーブ内面を有し、前記スリーブ本体が、前記スリーブ外面からかつ前記スリーブ内面から離れるように延在する複数の隆起部を画定し、
前記スリーブ本体によって画定された前記複数の隆起部の各隆起部が、前記ハウジング本体によって画定された前記複数の溝のうちの１つの溝によって受け入れられるようにサイズが決められかつ構成されており、
前記スリーブ本体によって画定された前記複数の隆起部のうちの少なくとも１つの隆起部が、前記ハウジング本体によって画定された前記複数の溝のうちの１つの溝に配置される、請求項１２に記載の選択的流体遮断弁装置。
【請求項２０】
長手方向軸を有する選択的流体遮断弁装置であって、
ハウジング基端部と、ハウジング先端部と、ハウジング通路、第１開口部、第２開口部および第３開口部を画定するハウジング本体とを有するハウジングであって、前記ハウジング通路が、前記ハウジングを通して延在し、前記第１開口部、前記第２開口部および前記第３開口部の各々が、前記ハウジング本体を通って延在しかつ前記ハウジング通路へのアクセスを提供する、ハウジングと、
前記ハウジングに移動可能に取り付けられかつ第１位置と第２位置との間で移動可能なアクチュエータと、
前記ハウジング通路内に配置されたスリーブであって、スリーブ基端部と、スリーブ先端部と、前記スリーブを通って延在するスリーブ通路を画定するスリーブ本体とを有し、流体が前記スリーブ通路を通過することができるように前記スリーブ通路が開放される第１形態と、前記スリーブ通路が閉鎖されて流体が前記スリーブ通路を通過するのを阻止する第２形態との間で移動可能なスリーブと、
前記ハウジングに取り付けられた第１ワイヤ部材第１端部と、前記アクチュエータに取り付けられた第１ワイヤ部材第２端部とを有する第１ワイヤ部材であって、前記ハウジングと前記スリーブとの間にかつ前記ハウジングによって画定された前記第１開口部を通って延在し、前記選択的流体遮断弁装置の前記長手方向軸に対して傾斜した角度で配置されている第１ワイヤ部材と、
前記ハウジングに取り付けられた第２ワイヤ部材第１端部と前記アクチュエータに取り付けられた第２ワイヤ部材第２端部とを有する第２ワイヤ部材であって、前記ハウジングと前記スリーブとの間にかつ前記ハウジングによって画定された前記第２開口部を通って延在し、前記選択的流体遮断弁装置の前記長手方向軸に対して傾斜した角度で配置されている第２ワイヤ部材と、
前記ハウジングに取り付けられた第３ワイヤ部材第１端部と前記アクチュエータに取り付けられた第３ワイヤ部材第２端部とを有する第３ワイヤ部材であって、前記ハウジングと前記スリーブとの間にかつ前記ハウジングによって画定された前記第３開口部を通って延在し、前記選択的流体遮断弁装置の前記長手方向軸に対して傾斜した角度で配置されている第３ワイヤ部材と、
を具備し、
前記アクチュエータが前記第１位置にある時、前記スリーブが前記第１形態にあり、前記スリーブ基端部が前記ハウジング基端部から第１距離に配置され、
前記アクチュエータが前記第２位置にある時、前記スリーブが前記第２形態にあり、前記スリーブ基端部が前記ハウジング基端部から第２距離に配置され、
前記第２距離が前記第１距離より大きい、
選択的流体遮断弁装置。
【発明の詳細な説明】
【技術分野】
【０００１】
本出願は、２０１４年４月２８日に出願された米国仮特許出願第６１／９８５，１３４号明細書の利益を主張する。この関連出願の開示内容は、全体として参照により本開示に組み込まれる。
【０００２】
本開示は、概して、医療デバイスの分野に関する。特定の実施形態は、選択的流体遮断（ｂａｒｒｉｅｒ）弁装置と選択的流体遮断弁装置を用いる治療方法とに関する。
【背景技術】
【０００３】
血管系の一部等の体内通路（ｂｏｄｉｌｙ  ｐａｓｓａｇｅ）に１つまたは複数のインターベンションデバイスを経皮的に挿入する必要がある種々の手技が開発されている。こうした手技としては、たとえば、経皮的冠動脈形成術（ＰＴＣＡ）、Ｘ線血管造影手技等が挙げられる。こうした手技で使用されるように意図されたインターベンションデバイスを、種々の既知の技法を用いて体内通路に導入することができる。たとえば、イントロデューサを、事前に配置されたガイドワイヤにわたって体内通路内に前進させ、体内通路へのインターベンションデバイスの挿入用の導管として使用することができる。
【０００４】
多くの場合、イントロデューサは、インターベンションデバイスがイントロデューサを通して挿入されるかまたはイントロデューサから引き抜かれる際に、血液などの体液がイントロデューサを通して漏れるのを阻止する、１つまたは複数の弁を含む。場合によっては、これらの交換中の流体の漏れを最小限にするように、エラストマー構成要素を含み、小さいスリットを画定する弁を用いる。これらの弁は、弁を通るデバイスの挿入または引抜き時に生成されるいかなる間隙も閉鎖するために、エラストマー構成要素の、インターベンションデバイスの周囲を封止することができる能力によって左右される。概して、これらの弁は、小範囲内にある外径を有するインターベンションデバイスにしか対応することができない。さらに、手技の実施中、使用者は、弁を通して配置されたインターベンションデバイスを、すべりを回避し弁の性能を向上させるように固定して保持する必要がある場合がある。
【発明の概要】
【発明が解決しようとする課題】
【０００５】
したがって、改善された流体遮断弁装置と流体遮断弁装置を用いる治療方法とが必要とされている。
【課題を解決するための手段】
【０００６】
長手方向軸を有し、ハウジング、アクチュエータ、スリーブおよび第１ワイヤ部材を備える、選択的流体遮断弁装置の実施形態例。ハウジングは、ハウジング基端部（ｐｒｏｘｉｍａｌ  ｅｎｄ）と、ハウジング先端部（ｄｉｓｔａｌ  ｅｎｄ）と、ハウジング通路および第１開口部を画定するハウジング本体とを有している。ハウジング通路は、ハウジングを通して延在している。第１開口部は、ハウジング本体を通して延在し、ハウジング通路へのアクセスを提供する。アクチュエータは、ハウジングに移動可能に取り付けられ、第１位置と第２位置との間で移動可能である。スリーブは、ハウジング通路内に配置され、スリーブ基端部と、スリーブ先端部と、スリーブを通って延在するスリーブ通路を画定するスリーブ本体とを有している。スリーブは、流体がスリーブ通路を通過することができるようにスリーブ通路が開放される第１形態と、スリーブ通路が閉鎖されて流体がスリーブ通路を通過するのを阻止する第２形態との間で移動可能である。第１ワイヤ部材は、ハウジングに取り付けられた第１ワイヤ部材第１端部と、アクチュエータに取り付けられた第１ワイヤ部材第２端部とを有している。第１ワイヤ部材は、ハウジングとスリーブとの間にかつハウジングによって画定された第１開口部を通って延在している。アクチュエータが第１位置にある時、スリーブは第１形態にあり、スリーブ基端部は、ハウジング基端部から第１距離に配置される。アクチュエータが第２位置にある時、スリーブは第２形態にあり、スリーブ基端部はハウジング基端部から第２距離に配置される。第２距離は第１距離とは異なる。
【０００７】
選択的流体遮断弁装置を用いる治療方法例は、近位端（ｐｒｏｘｉｍａｌ  ｅｎｄ）と、遠位端（ｄｉｓｔａｌ  ｅｎｄ）と、近位端から遠位端に延在する内腔を画定する本体とを有する第１医療デバイスに、選択的流体遮断弁装置を取り付けるステップであって、選択的流体遮断弁装置が、長手方向軸を有し、ハウジング、アクチュエータ、スリーブおよび第１ワイヤ部材を備える、ステップと、第１医療デバイスを体内通路内に、第１医療デバイスの遠位端が体内通路内に配置されるように挿入するステップと、近位端および遠位端を有する第２医療デバイスを選択的流体遮断弁装置および第１医療デバイスを通して、第２医療デバイスの遠位端が体内通路内に配置されるように挿入するステップと、第２医療デバイスの遠位端を体内通路内の治療箇所まで進めるステップと、選択的流体遮断弁装置のアクチュエータを第１位置から第２位置に移動させるステップと、第２医療デバイスを用いて治療を行うステップと、選択的流体遮断弁装置のアクチュエータを第２位置から第１位置に移動させるステップと、第２医療デバイスを体内通路、第１医療デバイスおよび選択的流体遮断弁装置から引き抜くステップと、第１医療デバイスを体内通路から引き抜くステップとを含む。
【図面の簡単な説明】
【０００８】
【図１】選択的流体遮断弁装置例の斜視図である。
【図２】図１に示す選択的流体遮断弁装置の組立分解図である。
【図３】線３−３に沿って取り出された、図１に示す選択的流体遮断弁装置の部分断面図である。選択的流体遮断弁装置は、第１形態で示されている。明確にするために、第１ワイヤ部材、第２ワイヤ部材および第３ワイヤ部材の各々は省略されている。
【図４】図１に示す選択的流体遮断弁装置のアクチュエータの、アクチュエータの長手方向軸に沿って取り出された断面図である。
【図５】図１に示す選択的流体遮断弁装置のアクチュエータの先端部の端面図である。
【図６】図１に示す選択的流体遮断弁装置のハウジングの、ハウジングの長手方向軸に沿って取り出された断面斜視図である。
【図７】図１に示す選択的流体遮断弁装置のコネクタの斜視図である。
【図８Ａ】図１に示す選択的流体遮断弁装置の側面図である。選択的流体遮断弁装置は、第１形態で示されている。明確にするために、アクチュエータおよびコネクタの各々は省略されている。
【図８Ｂ】図１に示す選択的流体遮断弁装置の別の側面図である。選択的流体遮断弁装置は、第１形態と第２形態との間で示されている。明確にするために、アクチュエータおよびコネクタの各々は省略されている。
【図８Ｃ】図１に示す選択的流体遮断弁装置の別の側面図である。選択的流体遮断弁装置は、第２形態で示されている。明確にするために、アクチュエータおよびコネクタの各々は省略されている。
【図９Ａ】図１に示す選択的流体遮断弁装置の先端部の端面図である。選択的流体遮断弁装置は、第１形態で示されている。明確にするために、アクチュエータ、コネクタおよびスリーブの各々は省略されている。
【図９Ｂ】図１に示す選択的流体遮断弁装置の先端部の別の端面図である。選択的流体遮断弁装置は、第１形態と第２形態との間で示されている。明確にするために、アクチュエータ、コネクタおよびスリーブの各々は省略されている。
【図９Ｃ】図１に示す選択的流体遮断弁装置の先端部の別の端面図である。選択的流体遮断弁装置は、第２形態で示されている。明確にするために、アクチュエータ、コネクタおよびスリーブは省略されている。
【図１０Ａ】図１に示す選択的流体遮断弁装置の先端部の別の端面図である。選択的流体遮断弁装置は、第１形態で示されている。明確にするために、アクチュエータおよびコネクタの各々は省略されている。
【図１０Ｂ】図１に示す選択的流体遮断弁装置の先端部の別の端面図である。選択的流体遮断弁装置は、第１形態と第２形態との間で示されている。明確にするために、アクチュエータおよびコネクタの各々は省略されている。
【図１０Ｃ】図１に示す選択的流体遮断弁装置の先端部の別の端面図である。選択的流体遮断弁装置は、第２形態で示されている。明確にするために、アクチュエータおよびコネクタの各々は省略されている。
【図１１】別の選択的流体遮断弁装置例の、選択的流体遮断弁装置の長手方向軸に沿って取り出された部分断面図である。選択的流体遮断弁装置は、第１形態で示されている。
【図１２】図１１に示す選択的流体遮断弁のハウジングの、ハウジングの長手方向軸に沿って取り出された、断面斜視図である。
【図１３】図１１に示す選択的流体遮断弁装置のスリーブの側面図である。
【図１４】線１４−１４に沿って取り出された、図１３に示すスリーブの断面斜視図である。
【図１５】別の選択的流体遮断弁装置例の組立分解図である。
【図１６】図１５に示す選択的流体遮断弁装置の部分斜視図である。選択的流体遮断弁装置は、第１形態で示されている。明確にするために、アクチュエータおよびコネクタの各々は省略されている。
【図１７】図１６に示す選択的流体遮断弁装置の基端部の端面図である。
【図１８】別の選択的流体遮断弁装置例の、選択的流体遮断弁装置の長手方向軸に対して直交する軸に沿って取り出された断面図である。選択的流体遮断弁装置は、第１形態で示されている。明確にするために、アクチュエータおよびコネクタの各々は省略されている。
【図１９】図１８に示す選択的流体遮断弁装置例の、選択的流体遮断弁装置の長手方向軸に対して直交する軸に沿って取り出された別の断面図である。選択的流体遮断弁装置は、第２形態で示されている。
【図２０】別の選択的流体遮断弁装置例の組立分解図である。
【図２１】図２０に示す選択的流体遮断弁装置の部分側面図である。選択的流体遮断弁装置は、第１形態で示されている。
【図２２】線２２−２２に沿って取り出された図２１に示す選択的流体遮断弁装置の断面図である。明確にするために、スリーブは省略されている。
【図２３】治療方法例のフローチャート図である。
【図２４】別の選択的流体遮断弁装置例の組立分解図である。
【図２５】図２４に示す選択的流体遮断弁装置の第２アクチュエータの先端部の端面図である。
【図２６】図２４に示す選択的流体遮断弁装置の第１アクチュエータおよび第２アクチュエータの先端部の端面図である。第２アクチュエータの複数の突起の各突起は、第１形態にある。
【図２７】図２４に示す選択的流体遮断弁装置の第１アクチュエータおよび第２アクチュエータの先端部の端面図である。第２アクチュエータの複数の突起の各突起は、第２形態にある。
【発明を実施するための形態】
【０００９】
以下の詳細な説明および添付の図面は、選択的流体遮断弁装置および治療方法のさまざまな実施形態例を説明し例示する。これらの例の説明および例示は、当業者が選択的流体遮断弁装置を作製しかつ使用し、選択的流体遮断弁装置を用いて治療方法を実施することができるように提供される。それらは、請求項の範囲をいかなるようにも限定するようには意図されていない。
【００１０】
「たとえば」、「等」、「例として」、「例では」および「または」ならびに文法的に関連する用語の使用は、特に断りのない限り、限定なしに非排他的選択肢を示す。「任意選択的に」および文法的に関連する用語の使用は、その後に記述する要素、事象、特徴または状況が存在または発生する場合もあれば発生しない場合もあることと、説明が、前記要素、事象、特徴または状況が発生する場合と発生しない場合とを含むことを意味する。「取り付けられた」という用語は、２つ以上の要素および／または装置の固定された関係、解除可能な関係または一体化された関係を指す。したがって、「取り付けられた」という用語は、２つ以上の要素および／または装置を解除可能に取り付けることと固定して取り付けることとを含む。本明細書で用いる「基端、近位」および「先端、遠位」という用語は、記載されている特定の要素または特徴の反対側の軸方向端部を記述するために用いられる。「直径」という用語は、物体、要素または特徴の中心を通って側部から側部まで通る直線の長さを指し、物体、要素または特徴に対していかなる構造形態も与えるものではない。「円周」という用語は、物体、要素または特徴の外面の回りの距離を指し、物体、要素または特徴に対していかなる構造形態も与えるものではない。「体内通路」または「身体通路（ｂｏｄｙ  ｐａｓｓａｇｅ）」の使用は、ヒトを含む動物の体内のあらゆる通路を指し、細長い通路、動脈および静脈を含む。
【００１１】
図１、図２、図３、図４、図５、図６、図７、図８Ａ、図８Ｂ、図８Ｃ、図９Ａ、図９Ｂ、図９Ｃ、図１０Ａ、図１０Ｂおよび図１０Ｃは、長手方向軸１１、基端部１２、先端部１４、ハウジング１６、アクチュエータ１８、スリーブ２０、第１ワイヤ部材２２、第２ワイヤ部材２４、第３ワイヤ部材２６およびコネクタ２８を有する選択的流体遮断弁装置１０の実施形態を示す。選択的流体遮断弁装置１０は、本明細書においてより詳細に記載するように、第１形態と第２形態との間で移動可能である。第１形態では、流体は、選択的流体遮断弁装置１０を通過することができる。第２形態では、流体は、選択的流体遮断弁装置１０を通過することが阻止される。
【００１２】
図示する実施形態において、図２および図６に示すように、ハウジング１６は、先細り基端部３０と、先端部３２と、第１部分３６、第２部分３８、第３部分４０、第１肩部４２、第２肩部４４、通路４６、第３肩部４８、溝５０、複数の凹部５２、隆起部５４、第１開口部５６、第２開口部５８、第３開口部６０、第１空洞６２、第２空洞６４、第３空洞６６、外面６８および内面６９を画定するハウジング本体３４とを有している。
【００１３】
ハウジング１６の第１部分３６は、ハウジング１６の先端部３２から基端部３０に向かって第２部分３８まで延在している。ハウジング１６の第２部分３８は、第１部分３６からハウジング１６の基端部３０に向かって第３部分４０まで延在している。第３部分４０は、第２部分３８からハウジング１６の基端部３０まで延在している。したがって、第２部分３８は、第１部分３６と第３部分４０との間に配置されている。第１部分３６は、第１外径３７を有し、第２部分３８は第２外径３９を有し、第３部分４０は第３外径４１を有している。第１外径３７は第２外径３９より大きく、第１肩部４２をもたらす。第２外径３９は第３外径４１より大きく、第２肩部４４をもたらす。
【００１４】
通路４６は、ハウジング１６を通ってハウジング１６の基端部３０から先端部３２まで延在している。通路４６は、ハウジング１６の基端部３０の第１内径４５とハウジング１６の先端部３２の第２内径４７とを有している。第１内径４５は、第２内径４７より小さく、通路４６内に第３肩部４８をもたらす。通路４６は、本明細書においてより詳細に述べるように、コネクタ２８およびスリーブ２０の一部を受け入れるようにサイズが決められかつ構成されている。
【００１５】
溝５０は、ハウジング１６の第３部分４０に画定され、ハウジング本体３４内に、通路４６に向かって、ハウジング１６の外面６８の円周全体に延在している。しかしながら、代替実施形態は、ハウジングの外面の円周の一部に延在する溝を含むことができる。溝５０は、アクチュエータ１８の一部（たとえば、隆起部８２）を受け入れるようにサイズが決められかつ構成されている。ハウジング１６の先細り基端部３０は、アクチュエータ１８によって画定された隆起部８２の上を、隆起部８２を溝５０内に配置することができるように、基端方向に前進するようにサイズが決められかつ構成されている。溝５０および隆起部８２は、協働して、アクチュエータ１８をハウジング１６に移動可能に取り付ける機構（たとえば、スナップフィット構成）を提供する。
【００１６】
複数の凹部５２が、ハウジング１６の第３部分４０の上に画定され、ハウジング１６の外面６８の円周全体に配置されている。しかしながら、代替実施形態は、ハウジングの円周の一部に延在する１つの凹部または複数の凹部を含むことができる。複数の凹部５２の各凹部は、後述するように、アクチュエータ１８によって画定されたリブ（たとえば、第１リブ８４、第２リブ８６、第３リブ８８）の一部を受け入れるようにサイズが決められかつ構成されている。複数の凹部５２は、ハウジング１６にアクチュエータ１８の一部（たとえば、第１部分、第２部分）を維持する機構を提供する。
【００１７】
複数の凹部５２は、ハウジング１６の第３部分４０に画定されるように示されているが、選択的流体遮断弁装置は、ハウジングのあらゆる好適な位置に画定されたあらゆる好適な数の凹部を含むことができる。当業者は、実施形態のアクチュエータの構造配置を含むさまざまな考慮事項に基づいて、特定の実施形態に従って、ハウジングに画定する凹部の数と、各凹部を配置するために好適な位置とを選択することができる。ハウジングに含めることが好適であると考えられる凹部の数の例としては、１つ、少なくとも１つ、２つ、複数、３つ、４つ、５つ、６つ、および特定の実施形態に対して好適であると考えられる他のあらゆる数が挙げられる。ハウジングに１つの凹部または複数の凹部を配置するために好適であると考えられる位置の例としては、ハウジングの第１部分、ハウジングの第２部分および／またはハウジングの第３部分が挙げられる。
【００１８】
隆起部５４は、ハウジング１６の第１部分３６において通路４６内に画定され、選択的流体遮断弁装置１０の長手方向軸１１に向かって延在している。隆起部５４は、ハウジング１６の内面６９の円周全体に延在し、本明細書においてより詳細に述べるように、コネクタ２８によって画定された溝１５６によって受け入れられるようにサイズが決められかつ構成されている。しかしながら、代替実施形態は、内面の円周の一部に延在する隆起部を画定するハウジングを含むことができる。隆起部５４は、ハウジング１６をコネクタ２８に解除可能に取り付ける機構（たとえば、スナップフィット構成）を提供する。
【００１９】
第１開口部５６、第２開口部５８および第３開口部６０の各々は、ハウジング本体３４を通して延在し、通路４６へのアクセスを提供する。開口部５６、５８、６０の各々は、ワイヤ部材（たとえば、第１ワイヤ部材２２、第２ワイヤ部材２４、第３ワイヤ部材２６）の一部を受け入れるようにサイズが決められかつ構成されている。第１開口部５６は、第２開口部５８から第１距離に配置され、第２開口部５８は、第３開口部６０から第２距離に配置され、第３開口部６０は、第１開口部５６から第３距離に配置されている。図示する実施形態では、第１距離、第２距離および第３距離は互いに等しい。しかしながら、代替実施形態は、第２開口部から第１距離に配置される第１開口部を含むことができ、第２開口部は、第３開口部から第２距離に配置され、第３開口部は、第１開口部から第３距離に配置され、そこでは、第１距離は第２距離とは異なり、第２距離は、第３距離と同じであるかまたは異なる。したがって、代替実施形態は、複数の開口部を含むことができ、そこでは、第１開口部と第２開口部との間の第１距離は、第２開口部と第３開口部との間または第２開口部と第１開口部との間の第２距離と異なる。
【００２０】
図示する実施形態では、開口部５６、５８、６０の各々は、ハウジング１６の円周における長さがその開口部の高さより大きいように細長い。これにより、本明細書においてより詳細に述べるように、アクチュエータ１８を第１位置から第２位置まで移動させ、それにより、ワイヤ部材５６、５８、６０の各々をそのそれぞれの開口部内でかつその第１形態からその第２形態に移動させることができる、機構が提供される。
【００２１】
第１空洞６２、第２空洞６４および第３空洞６６の各々は、内面６９からハウジング本体３４内に延在し、ワイヤ部材（たとえば、第１ワイヤ２２、第２ワイヤ２４、第３ワイヤ２６）の一部を受け入れるようにサイズが決められかつ構成されている。第１空洞６２は、第２空洞６４から第１距離に配置され、第２空洞６４は、第３空洞６６から第２距離に配置され、第３空洞６６は、第１空洞６２から第３距離に配置されている。図示する実施形態では、第１距離、第２距離および第３距離は互いに等しく、第１距離、第２距離および第３距離の各々は、ハウジング１６の内面６９に沿って測定される。しかしながら、代替実施形態は、第２空洞から第１距離に配置される第１空洞を含むことができ、第２空洞は、第３空洞から第２距離に配置され、第３空洞は、第１空洞から第３距離に配置され、そこでは、第１距離は第２距離とは異なり、第２距離は、第３距離と同じであるかまたは異なる。したがって、代替実施形態は、複数の空洞を含むことができ、そこでは、第１空洞と第２空洞との間の第１距離は、第２空洞と第３空洞との間または第２空洞と第１空洞との間の第２距離と異なる。
【００２２】
図示する実施形態では、空洞６２、６４、６６の各々は、ハウジング１６の内面６９に画定された開口部からハウジング本体３４内に、外面６８に向かってかつハウジング１６の先端部３２に向かって延在している。第１空洞６２、第２空洞６４および第３空洞６６の各々の開口部は、選択的流体遮断弁装置１０の長手方向軸１１に直交して配置される平面に配置されている。しかしながら、代替実施形態は、選択的流体遮断弁装置の長手方向軸に直交して配置される第１平面に、少なくとも１つまたは２つ以上の空洞が画定され、第１平面とは異なりかつ選択的流体遮断弁装置の長手方向軸に直交して配置される第２平面に、少なくとも１つまたは２つ以上の空洞が配置されるように、複数の空洞を画定するハウジングを含むことができる。空洞６２、６４、６６の各々は、選択的流体遮断弁装置１０の長手方向軸１１（すなわち、選択的流体遮断弁装置１０の長手方向軸１１を含む平面）に対して角度６７に延在する長手方向軸を有している。図示する実施形態では、角度６７は、傾斜しており、３５度に等しい。しかしながら、代替実施形態は、選択的流体遮断弁装置の長手方向軸（すなわち、選択的流体遮断弁装置の長手方向軸を含む平面）に対して、３５度に等しいか、実質的に等しいかまたは約３５度である角度、傾斜した角度、鈍角の角度、鋭角の角度、および特定の実施形態に対して好適であると考えられる他のあらゆる角度等、あらゆる好適な角度で配置された空洞を含むことができる。別法として、空洞を、選択的流体遮断弁装置の長手方向軸に対して平行に配置することができる。ワイヤ部材の端部を固定することができ、かつワイヤ部材に対してキンクまたは過度な応力を与えないあらゆる角度が好適であると考えられる。
【００２３】
ハウジング１６は、特定の構造配置を有するものとして示されているが、ハウジングは、あらゆる好適な構造配置を有することができ、当業者は、選択的流体遮断弁装置に含まれるワイヤ部材の数を含むさまざまな考慮事項に基づいて、特定の実施形態に従って、ハウジングに対する好適な構造配置を選択することができる。たとえば、溝が示されているが、ハウジング本体は、アクチュエータによって画定された溝によって受け入れられる隆起部等、アクチュエータをハウジングに移動可能に取り付ける機構を提供することができるあらゆる好適な構造を画定することができる。ハウジング１６は、先細り基端部３０を有するものとして示されているが、代替実施形態は、先細り基端部を画定しないハウジングを含むことができる。ハウジング本体３４を、複数の開口部５６、５８、６０および複数の空洞６２、６４、６６を画定するものとして示すが、ハウジング本体は、１つ、少なくとも１つ、２つ、複数、３つ、４つ、５つ、６つ、および特定の実施形態に対して好適であると考えられる他のあらゆる数等、あらゆる好適な数の開口部および／または空洞を画定することができる。ハウジングによって画定された開口部および空洞の数は、選択的流体遮断弁装置に含まれるワイヤ部材の数に基づくことができる。
【００２４】
図示する実施形態において、図１、図２、図４および図５に示すように、アクチュエータ１８は、基端部７０と、先端部７２と、複数の凹部７６、通路７８、肩部８０、隆起部８２、第１リブ８４、第２リブ８６、第３リブ８８、第１空洞９０、第２空洞９２、第３空洞９４、外面９６および内面９８を画定するアクチュエータ本体７４とを有している。アクチュエータ１８は、ハウジング１６に移動可能に取り付けられ、第１位置と第２位置との間で移動可能である。
【００２５】
図示する実施形態では、アクチュエータ１８は、ハウジング１６上で選択的流体遮断弁装置１０の長手方向軸１１を中心に回転させることができる回転可能部材２９である。しかしながら、回転可能部材２９が示されているが、選択的流体遮断弁装置は、選択的流体遮断弁装置を第１形態と第２形態との間で移動させることができるあらゆる好適なアクチュエータを含むことができる。当業者は、選択的流体遮断弁装置に含まれるワイヤ部材の数および／またはハウジングの構造配置を含む、さまざまな考慮事項に基づいて、特定の実施形態に従って選択的遮断弁装置に含めるために好適なアクチュエータを選択することができる。選択的流体遮断弁装置に含めるために好適であると考えられるアクチュエータ例としては、回転式アクチュエータ、リニアアクチュエータ、摺動式アクチュエータ、枢動式アクチュエータ、レバー、および特定の実施形態に対して好適であると考えられる他のあらゆるアクチュエータが挙げられる。
【００２６】
複数の凹部７６の各凹部は、外面９６からアクチュエータ本体７４内に内面９８に向かって延在し、使用者の指の一部を受け入れるようにサイズが決められかつ構成されている。複数の凹部７６の各凹部は、ハウジング１６上でアクチュエータ１８を回転させるために使用することができる人間工学的構造を提供する。任意選択的に、アクチュエータ１８から複数の凹部７６を省略することができる。
【００２７】
通路７８は、アクチュエータ１８を通ってアクチュエータ１８の基端部７０から先端部７２まで延在している。通路７８は、第１部分７７および第２部分８１を有している。第１部分７７は、アクチュエータ１８の先端部７２からアクチュエータ１８の基端部７０に向かって延在している。第２部分８１は、第１部分７７からアクチュエータ１８の基端部７０まで延在している。第１部分７７は、第１内径７９および第２部分８１を有し、かつ第２内径８３を有している。第１内径７９は、第２内径８３より大きく、通路７８内に肩部８０をもたらす。通路７８は、ハウジング１６の一部を受け入れるようにサイズが決められかつ構成されている。第１部分７７は、ハウジング１６の第２部分３８を受け入れるようにサイズが決められかつ構成され、第２部分８１は、ハウジング１６の第３部分４０を受け入れるようにサイズが決められかつ構成されている。
【００２８】
隆起部８２は、内面９８から通路７８内に、かつ内面９８の円周全体に延在している。しかしながら、代替実施形態は、アクチュエータによって画定された通路の内面の一部に延在する隆起部を含むことができる。隆起部８２は、ハウジング１６によって画定された溝５０によって受け入れられるようにサイズが決められかつ構成されており、それにより、隆起部８２が溝５０内に配置されると、アクチュエータ１８は、ハウジング１６に移動可能に取り付けられる（たとえば、ハウジング１６とアクチュエータ１８との間のスナップフィット取付が達成される）。
【００２９】
第１リブ８４、第２リブ８６および第３リブ８８の各々は、シャフト１００および隆起部１０２を有し、通路７８内で移動可能である。シャフト１００は、アクチュエータ本体７４に取り付けられた第１端部１０４とアクチュエータ本体７４に取り付けられていない第２端部１０６とを有している。隆起部１０２は、シャフト１００から選択的流体遮断弁装置１０の長手方向軸１１に向かって延在している。隆起部１０２は、ハウジング１６によって画定された複数の凹部５２のうちの１つの凹部によって受け入れられるようにサイズが決められかつ構成されている。
【００３０】
この構造配置により、ハウジング１６の上でアクチュエータ１８をその第１位置とその第２位置との間で移動させ、アクチュエータ１８にいかなる外力も加えられていない時にアクチュエータ１８の位置を維持する機構が提供される。第１位置では、リブ８４、８６、８８の各々は、複数の凹部５２のうちの１つの凹部に配置される。たとえば、第１リブ８４は、複数の凹部５２のうちの第１凹部に配置され、第２リブ８６は、複数の凹部５２のうちの第２凹部に配置され、第３リブ８８は、複数の凹部５２のうちの第３凹部に配置される。アクチュエータ１８がその第１位置から第２位置に移動する際、リブ８４、８６、８８の各々は、複数の凹部５２のうちのそのそれぞれの凹部から複数の凹部５２のうちの別の異なる凹部まで前進する。たとえば、第１リブ８４は、複数の凹部５２のうちの第１凹部とは異なる、複数の凹部５２のうちの第４凹部まで前進し、第２リブ８６は、複数の凹部５２のうちの第２凹部とは異なる、複数の凹部５２のうちの第５凹部まで前進し、第３リブ８８は、複数の凹部５２のうちの第３凹部とは異なる、複数の凹部５２のうちの第６凹部まで前進する。隆起部１０２が複数の凹部５２のうちの１つの凹部内に配置された時、ハウジング１６に対するアクチュエータ１８の移動に対するある程度の抵抗が提供され、それにより、選択的流体遮断弁装置１０が、アクチュエータ１８に力を加えることなくその第２形態からその第１形態に移動することが防止される。複数の凹部５２は、各隆起部１０２に対してさまざまな停止位置を提供し、アクチュエータ１８がハウジング１６の円周を前進していることを示すように、使用者に対して触覚フィードバックも提供する。
【００３１】
任意選択的に、ハウジング本体および／またはアクチュエータ本体は、アクチュエータが第２位置（たとえば、スリーブ２０が閉鎖形態にある位置）を越えて、または装置を損傷する可能性がある方向に（たとえば、アクチュエータが第１位置にある時に左回り方向に）移動するのを防止するあらゆる好適な構造を画定することができる。たとえば、ハウジング本体は、第１隆起部および第２隆起部を画定することができ、アクチュエータは、第３隆起部を画定することができる。第１隆起部および第２隆起部の各々は、ハウジングの第３部分に配置され、ハウジングの外面から外側にかつハウジングの長手方向軸から離れるように延在している。アクチュエータによって画定された第３隆起部は、アクチュエータの内面から外側にかつアクチュエータの長手方向軸に向かって延在している。選択的流体遮断弁装置が組み立てられた時、第３隆起部は、ハウジングによって画定された第１隆起部と第２隆起部との間に配置され、それにより、アクチュエータは、第３隆起部が第１隆起部と接触する場所、および第３隆起部が第２隆起部と接触する場所を越えて移動することが防止される。
【００３２】
ハウジング１６に画定された複数の凹部５２と複数のリブ８４、８６、８８とが、アクチュエータ１８にいかなる外力も加えられていない時にハウジング１６に対してアクチュエータ１８の位置を維持する機構を提供するものとして示されているが、アクチュエータとハウジングとの間の移動を可能にし、かつアクチュエータにいかなる外力も加えられていない時にハウジングに対するアクチュエータの位置を維持することができる、あらゆる好適な構造形態を使用することができる。当業者は、アクチュエータおよび／またはハウジングを形成する材料を含むさまざまな考慮事項に基づいて、特定の実施形態に従い、アクチュエータにいかなる外力も加えられていない時にハウジングに対するアクチュエータの位置を維持するために、選択的流体弁装置に含める好適な構造形態を選択することができる。たとえば、代替実施形態は、複数のリブを画定するハウジングを含むことができ、そこでは、複数のリブの各リブは、アクチュエータによって画定された複数の凹部のうちの１つの凹部によって受け入れられるようにサイズが決められかつ構成される。複数のリブを画定するアクチュエータに対する代替形態として、アクチュエータは、アクチュエータの内面から外面に向かって延在する１つまたは複数の空洞を画定することができる。各空洞は、付勢装置（たとえばばね）および係合部材を受け入れるようにサイズが決められかつ構成されている。付勢装置は、空洞の端部と係合部材との間に配置される。係合部材は、ハウジングに向かって付勢され、係合部材の一部がアクチュエータの内面を越えて延在しかつハウジングの外面と接触する（たとえば、ハウジングに対するアクチュエータの位置を維持するように、ハウジングによって画定された複数の凹部と相互作用することができる）ように、空洞内に収容されるようにサイズが決められかつ構成されている。係合部材は、あらゆる好適な構造形態を有するあらゆる好適な構成要素を含むことができる。たとえば、係合部材は、球状部材、ボール、曲線状部材、またはハウジングによって画定された複数の凹部と相互作用することができる他のあらゆる好適な構造を含むことができる。係合部材を付勢部材に取り付けないようにすることができ、または、本明細書に記載されるもの等、あらゆる好適な技法または方法を用いて付勢部材に取り付けることができる。
【００３３】
第１空洞９０、第２空洞９２および第３空洞９４の各々は、アクチュエータ本体７４内に内面９８から外面９６に向かって延在し、ワイヤ部材（たとえば、第１ワイヤ部材２２、第２ワイヤ部材２４、第３ワイヤ部材２６）の一部を受け入れるようにサイズが決められかつ構成されている。図示する実施形態では、空洞９０、９２、９４の各々は、アクチュエータ１８の肩部８０に画定され、肩部８０に画定された開口部からアクチュエータ１８の基端部７０に向かって延在している。しかしながら、代替実施形態は、アクチュエータの内面の他のあらゆる部分に１つまたは複数の空洞を画定することができる。第１空洞９０は、第２空洞９２から第１距離に配置され、第２空洞９２は、第３空洞９４から第２距離に配置され、第３空洞９４は、第１空洞９０から第３距離に配置されている。図示する実施形態では、第１距離、第２距離および第３距離は、互いに等しく、第１距離、第２距離および第３距離の各々は、アクチュエータ１８の内面９８に沿って測定される。しかしながら、代替実施形態は、第２空洞から第１距離に配置される第１空洞を含むことができ、第２空洞は、第３空洞から第２距離に配置され、第３空洞は、第１空洞から第３距離に配置され、そこでは、第１距離は第２距離とは異なり、第２距離は、第３距離と同じであるかまたは異なる。したがって、代替実施形態は、複数の空洞を含むことができ、そこでは、第１空洞と第２空洞との間の第１距離は、第２空洞と第３空洞との間または第２空洞と第１空洞との間の第２距離と異なる。
【００３４】
空洞９０、９２、９４の各々の開口部は、選択的流体遮断弁装置１０の長手方向軸１１に直交して配置される平面に配置される。しかしながら、代替実施形態は、複数の空洞を画定するアクチュエータを含むことができ、そこでは、選択的流体遮断弁装置の長手方向に直交して配置される第１平面に、少なくとも１つまたは２つ以上の空洞が画定され、第１平面とは異なり、かつ選択的流体遮断弁装置の長手方向軸に直交して配置される第２平面に、少なくとも１つまたは２つ以上の空洞が配置される。空洞９０、９２、９４の各々は、選択的流体遮断弁装置１０の長手方向軸１１（すなわち、選択的流体遮断弁装置１０の長手方向軸１１を含む平面）に対して角度をなして配置される長手方向軸１０７を有している。図示する実施形態では、軸１０７は、選択的流体遮断弁装置１０の長手方向軸１１に対して平行である。しかしながら、代替実施形態は、選択的流体遮断弁装置の長手方向軸（すなわち、選択的流体遮断弁装置の長手方向軸を含む平面）に対して、０度に等しいか、実質的に等しいかまたは約０度である角度、傾斜した角度、鈍角の角度、鋭角の角度、および特定の実施形態に対して好適であると考えられる他のあらゆる角度等、あらゆる好適な角度で配置される空洞を含むことができる。ワイヤ部材の端部を固定することができ、かつワイヤ部材に対してキンクまたは過度な応力を与えないあらゆる角度が好適であると考えられる。
【００３５】
アクチュエータ１８は、特定の構造配置を有するものとして示されているが、アクチュエータは、あらゆる好適な構造配置を有することができ、当業者は、選択的流体遮断弁装置に含まれるワイヤ部材の数を含むさまざまな考慮事項に基づいて、特定の実施形態に従って、アクチュエータに対する好適な構造配置を選択することができる。たとえば、隆起部が示されているが、アクチュエータ本体は、ハウジングによって画定された隆起部を受け入れるようにサイズが決められかつ構成されている溝等、アクチュエータをハウジングに移動可能に取り付ける機構を提供することができるあらゆる好適な構造を画定することができる。アクチュエータ本体７４は、複数のリブ８４、８６、８８および複数の空洞９０、９２、９４を画定するものとして示されているが、１つ、少なくとも１つ、２つ、複数、３つ、４つ、５つ、６つ、および特定の実施形態に対して好適であると考えられる他のあらゆる数等、あらゆる好適な数のリブおよび／または空洞を画定することができる。
【００３６】
図示する実施形態において、図２に示すように、スリーブ２０は、基端部１１０と、先端部１１２と、長手方向軸１１３と、通路１１６、シャフト１１８、フランジ１２０、外面１２１および内面１２２を画定するスリーブ本体１１４とを有している。スリーブ２０の先端部１１２は、ハウジング１６とコネクタ２８との間に配置され、スリーブ２０の基端部１１２は、ハウジング１６によって画定された通路４６内に配置される。スリーブ２０のフランジ１２０は、ハウジング１６の先端部３２と接触し、コネクタ２８がハウジング１６に取り付けられた時、スリーブ２０の先端部１１２は、ハウジング１６に対して固定される。スリーブ２０は、本明細書においてより詳細に述べるように、第１形態と第２形態との間で移動可能である。
【００３７】
通路１１６は、スリーブ２０を通してスリーブ２０の基端部１１０から先端部１１２まで延在し、医療デバイスを受け入れるようにサイズが決められかつ構成されている。通路１１６は、図８Ａおよび図１０Ａに示すような第１形態と、図８Ｃおよび図１０Ｃに示すような第２形態との間で移動可能である。第１形態では、スリーブ２０によって画定された通路１１６は、流体が通路を通過することができるように開放される。第２形態では、スリーブ２０によって画定された通路１１６は、流体が通路１１６を通過するのを阻止されるように閉鎖される。
【００３８】
シャフト１１８は、スリーブ２０の基端部１１０から先端部１１２まで延在し、ハウジング１６によって画定された通路４６によって受け入れられるようにサイズが決められかつ構成されている。フランジ１２０は、シャフト１１８から、スリーブ２０の長手方向軸１１３から離れるように延在している。フランジ１２０は、ハウジング１６とコネクタ２８との間にスリーブ２０を解除可能に取り付け、かつ、スリーブ２０が、フランジ１２０がハウジング本体３４によって画定された第３肩部４８と接触する場所を越えて基端方向に前進するのを防止する、機構を提供する。任意選択的に、スリーブ本体は、スリーブを第１形態から第２形態に移動させるのに役立つように、スリーブの外面に１つまたは複数の凹部および／または隆起を画定することができる。たとえば、各凹部を、ワイヤ部材の一部を受け入れるようにサイズを決めかつ構成することができる。この任意選択的な構造形態により、スリーブの外面の特定の位置（たとえば凹部内）に各ワイヤ部材を位置決めする機構が提供される。
【００３９】
スリーブ２０を、あらゆる好適な材料からかつあらゆる好適な製造技法を用いて形成することができ、当業者は、実施形態のハウジングを形成する材料を含むさまざまな考慮事項に基づいて、特定の実施形態に従ってスリーブを形成するために好適な材料および技法を選択することができる。スリーブを形成するために好適であると考えられる材料例としては、生体適合性材料、生体適合性にすることができる材料、高コンプライアンス（ｃｏｍｐｌｉａｎｔ）材料、エラストマー材料、ポリマー、ポリウレタン、ポリイソプレン、ポリエチレン、ポリ塩化ビニル、ポリスチレン、シリコーン、シリコーン混合物、および特定の実施形態に対して好適であると考えられる他のあらゆる材料が挙げられる。スリーブを形成するのに好適であると考えられる技法例としては、射出成形、鋳造、押出成形、および特定の実施形態に対して好適であると考えられる他のあらゆる技法が挙げられる。
【００４０】
第１ワイヤ部材２２は、第１端部１２４および第２端部１２６を有している。第１ワイヤ部材２２の第１端部１２４は、ハウジング１６に取り付けられ、ハウジング１６によって画定された第１空洞６２内に配置されている。第１ワイヤ部材２２の第２端部１２６は、アクチュエータ１８に取り付けられ、アクチュエータ１８によって画定された第１空洞９０内に配置されている。第１ワイヤ部材２２は、ハウジング１６によって画定された第１空洞６２内に配置された第１端部１２４から、ハウジング１６とスリーブ２０との間のスリーブ２０の外面１２１の一部の周囲に、ハウジング１６によって画定された第１開口部５６を通って、アクチュエータ１８によって画定された第１空洞９０内に配置された第２端部１２６まで延在している。第１ワイヤ部材２２が第１形態にある時、スリーブ２０の外面１２１の周囲に延在する第１ワイヤ部材２２の部分は、選択的流体遮断弁装置１０の長手方向軸１１（すなわち、選択的流体遮断弁装置１０の長手方向軸１１を含む平面）に対して傾斜した角度で配置される。
【００４１】
第１ワイヤ部材２２の第１端部１２４は、ハウジング１６の基端部３０から第１距離に配置され、第１ワイヤ部材２２の第２端部１２６は、ハウジング１６の基端部３０から第２距離に配置される。第１端部１２４と第２端部１２６との間に配置された第１ワイヤ部材２２の部分（すなわち、スリーブ２０の周囲に延在する部分）は、ハウジング１６の基端部３０から第３距離に配置されている。図示する実施形態では、第３距離は、第１距離および第２距離より小さい。しかしながら、代替実施形態は、ワイヤ部材の第１端部と第２端部との間に配置される部分が、ワイヤ部材の第１端部および／または第２端部がハウジングの基端部から配置される距離に等しいか、実質的に等しいか、またはそれより大きい、ハウジングの基端部からの距離に配置される、ワイヤ部材を含むことができる。
【００４２】
第２ワイヤ部材２４は、第１端部１２８および第２端部１３０を有している。第２ワイヤ部材２４の第１端部１２８は、ハウジング１６に取り付けられ、ハウジング１６によって画定された第２空洞６４内に配置されている。第２ワイヤ部材２４の第２端部１３０は、アクチュエータ１８に取り付けられ、アクチュエータ１８によって画定された第２空洞９２内に配置されている。第２ワイヤ部材２４は、ハウジング１６によって画定された第２空洞６４内に配置された第１端部１２８から、ハウジング１６とスリーブ２０との間のスリーブ２０の外面１２１の一部の周囲に、ハウジング１６によって画定された第２開口部５８を通って、アクチュエータ１８によって画定された第２空洞９２内に配置された第２端部１３０まで延在している。第２ワイヤ部材２４が第１形態にある時、スリーブ２０の外面１２１の周囲に延在する第２ワイヤ部材２４の部分は、選択的流体遮断弁装置１０の長手方向軸１１（すなわち、選択的流体遮断弁装置１０の長手方向軸１１を含む平面）に対して傾斜した角度で配置される。
【００４３】
第２ワイヤ部材２４の第１端部１２８は、ハウジング１６の基端部３０から第１距離に配置され、第２ワイヤ部材２４の第２端部１３０は、ハウジング１６の基端部３０から第２距離に配置される。第１端部１２８と第２端部１３０との間に配置された第１ワイヤ部材２４の部分（すなわち、スリーブ２０の周囲に延在する部分）は、ハウジング１６の基端部３０から第３距離に配置されている。図示する実施形態では、第３距離は、第１距離および第２距離より小さい。しかしながら、代替実施形態は、ワイヤ部材の第１端部と第２端部との間に配置された部分が、ワイヤ部材の第１端部および／または第２端部がハウジングの基端部から配置される距離に等しいか、実質的に等しいか、またはそれより大きい、ハウジングの基端部からの距離に配置される、第２ワイヤ部材を含むことができる。
【００４４】
第３ワイヤ部材２６は、第１端部１３２および第２端部１３４を有している。第３ワイヤ部材２６の第１端部１３２は、ハウジング１６に取り付けられ、ハウジング１６によって画定された第３空洞６６内に配置されている。第３ワイヤ部材２６の第２端部１３４は、アクチュエータ１８に取り付けられ、アクチュエータ１８によって画定された第３空洞９４内に配置されている。第３ワイヤ部材２６は、ハウジング１６によって画定された第３空洞６６内に配置された第１端部１３２から、ハウジング１６とスリーブ２０との間のスリーブ２０の外面１２１の一部の周囲に、ハウジング１６によって画定された第３開口部６０を通って、アクチュエータ１８によって画定された第３空洞９４内に配置された第２端部１３４まで延在している。第３ワイヤ部材２６が第１形態にある時、スリーブ２０の外面１２１の周囲に延在する第３ワイヤ部材２６の部分は、選択的流体遮断弁装置１０の長手方向軸１１（すなわち、選択的流体遮断弁装置１０の長手方向軸１１を含む平面）に対して傾斜した角度で配置される。別法として、選択的流体遮断弁装置に含まれるワイヤ部材のうちの１つまたは複数を、スリーブ本体の一部に通すことができる。たとえば、代替実施形態は、スリーブの外面からスリーブの外面の円周の一部に沿って延在する１つまたは複数の隆起部を画定するスリーブを含むことができる。各隆起部は、ワイヤ部材の一部を受け入れるようにサイズが決められかつ構成された通路を画定し、それにより、ワイヤ部材を、隆起部によって画定された通路に通すことができる。
【００４５】
第３ワイヤ部材２６の第１端部１３２は、ハウジング１６の基端部３０から第１距離に配置され、第３ワイヤ部材２６の第２端部１３４は、ハウジング１６の基端部３０から第２距離に配置される。第１端部１３２と第２端部１３４との間に配置された第３ワイヤ部材２６の部分（すなわち、スリーブ２０の周囲に延在する部分）は、ハウジング１６の基端部３０から第３距離に配置されている。図示する実施形態では、第３距離は、第１距離および第２距離より小さい。しかしながら、代替実施形態は、ワイヤ部材の第１端部と第２端部との間に配置された部分が、ワイヤ部材の第１端部および／または第２端部がハウジングの基端部から配置される距離に等しいか、実質的に等しいか、またはそれより大きい、ハウジングの基端部からの距離に配置される、第３ワイヤ部材を含むことができる。
【００４６】
ワイヤ部材とハウジングおよび／またはアクチュエータとの間の取付を、あらゆる好適な方法または技法を用いて達成することができ、当業者は、ワイヤ部材を形成する材料を含むさまざまな考慮事項に基づいて、特定の実施形態に従ってワイヤ部材をハウジングおよび／またはアクチュエータに取り付けるために好適な方法または技法を選択することができる。ワイヤ部材をハウジングおよび／またはアクチュエータに取り付けるために好適であると考えられる方法および技法例には、接着剤の使用、溶接、融着、ワイヤ部材とハウジングおよび／またはアクチュエータとの間の摩擦嵌合の提供、ならびに特定の実施形態に対して好適であると考えられる他のあらゆる方法または技法が挙げられる。たとえば、ワイヤ部材は、ワイヤ部材とハウジングおよび／またはアクチュエータとの間の摩擦嵌合を達成することができるように、ハウジングおよび／またはアクチュエータによって画定される空洞の内径より大きい外径を有することができる。
【００４７】
図示する実施形態において、図８Ａに示すように、選択的流体遮断弁装置１０が第１形態にある時、ワイヤ部材２２、２４、２６の各々は、３５度に等しい、選択的流体遮断弁装置１０の長手方向軸１１（すなわち、選択的流体遮断弁装置１０の長手方向軸１１を含む平面）に対して傾斜した角度１３５に配置される。しかしながら、他の角度が好適であると考えられ、当業者は、実施形態のスリーブを形成する材料を含むさまざまな考慮事項に基づいて、特定に実施形態に従って、選択的流体遮断弁装置の長手方向軸（すなわち、選択的流体遮断弁装置１０の長手方向軸１１を含む平面）に対してワイヤ部材を位置決めするために好適な角度を選択することができる。選択的流体遮断弁装置の長手方向軸（すなわち、選択的流体遮断弁装置１０の長手方向軸１１を含む平面）に対してワイヤ部材を位置決めするのに好適であると考えられる角度例としては、３５度に等しいか、実質的に等しいか、または約３５度である角度、９０度、約０度と約１８０度との間の角度、０度と１８０度との間の角度、および特定の実施形態に対して好適であると考えられる他のあらゆる角度が挙げられる。たとえば、代替実施形態は、基端部に、ハウジングの基端部と接触しているフランジを画定しているスリーブを含むことができる。スリーブは、選択的流体遮断弁装置の長手方向軸に沿って自由に移動することができる先端部を含むことができる。この代替実施形態では、選択的流体遮断弁装置の長手方向軸（すなわち、選択的流体遮断弁装置１０の長手方向軸１１を含む平面）に対してワイヤ部材を位置決めするために好適であると考えられる角度例としては、９０度に等しいか、実質的に等しいか、あるいは約９０度である角度、または９０度を超える角度が挙げられる。
【００４８】
図示する実施形態では、ワイヤ部材２２、２４、２６の各々は、第１形態と第２形態との間で移動可能であり、開口部１３６がハウジング１６内でワイヤ部材２２、２４、２６の間に画定されるように構成されている。第１形態では、図８Ａ、図９Ａおよび図１０Ａに示すように、ワイヤ部材２２、２４、２６の各々は、弛緩形態にあり、その第１端部と第２端部との間に配置された部分が選択的流体遮断弁装置１０の長手方向軸１１から第１距離に配置されている。第１形態では、開口部１３６は第１径１３７を有している。第２形態では、図８Ｃ、図９Ｃおよび図１０Ｃに示すように、ワイヤ部材２２、２４、２６の各々は引張状態にあり、それにより、ワイヤ部材２２、２４、２６の各々のその第１端部と第２端部との間に配置される部分は、選択的流体遮断弁装置１０の長手方向軸１１から第２距離に配置される。第２距離は、第１距離より小さい。第２形態では、開口部１３６は、第１径１３７より小さい第２径１３８を有している。
【００４９】
ワイヤ部材２２、２４、２６の各々を、あらゆる好適な材料から、かつあらゆる好適な製造技法を用いて形成することができ、当業者は、実施形態のスリーブを形成する材料を含むさまざまな考慮事項に基づいて、特定の実施形態に従ってワイヤ部材を形成する好適な材料および技法を選択することができる。ワイヤ部材を形成するために好適であると考えられる材料例としては、生体適合性材料、生体適合性とすることができる材料、編組材料、巻き材料、より材料、低コンプライアンス（ｎｏｎｃｏｍｐｌｉａｎｔ）材料、鋼、ステンレス鋼、チタン、ニッケル−チタン合金等の金属、ポリマー、ポリプロピレン、ポリエステル、ナイロン（Ｎｙｌｏｎ）、ポリエチレン、ポリ塩化ビニル、ポリスチレン、高コンプライアンス材料、可撓性材料（たとえば、ハウジングを形成する材料より相対的に可撓性が高い材料）、および特定の実施形態に対して好適であると考えられる他のあらゆる材料が挙げられる。ワイヤ部材を形成するのに好適であると考えられる技法例としては、射出成形、鋳造、押出成形、および特定の実施形態に好適であると考えられる他のあらゆる技法が挙げられる。
【００５０】
第１ワイヤ部材２２、第２ワイヤ部材２４および第３ワイヤ部材２６等のワイヤ部材は、あらゆる好適な構造を有することができ、ねじられるかまたは他の方法で互いに相互接続されるあらゆる好適な数のストランドおよび／または繊維を含むことができる。たとえば、ワイヤ部材は、曲線状、実質的に曲線状、矩形、正方形、楕円形、および特定の実施形態に対して好適であると考えられる他のあらゆる形状である断面形状を有することができ、１つ、少なくとも１つ、２つ、複数、３つ、４つ、および特定の実施形態に対して好適であると考えらえる他のあらゆる数等、あらゆる好適な数のストランドおよび／または繊維を含むことができる。たとえば、ワイヤ部材は、縫合用糸またはケーブルを含むことができる。
【００５１】
選択的流体遮断弁装置１０は、第１ワイヤ部材２２、第２ワイヤ部材２４および第３ワイヤ部材２６を含むものとして示されているが、選択的流体遮断弁装置は、あらゆる好適な数のワイヤ部材を含むことができる。当業者は、実施形態のスリーブを形成する材料を含むさまざまな考慮事項に基づいて、特定の実施形態に従って選択的流体遮断弁装置に含めるために好適な数のワイヤ部材を選択することができる。選択的流体遮断弁装置に含めるために好適であると考えられるワイヤ部材の数の例としては、１つ、少なくとも１つ、２つ、複数、３つ、４つ、５つ、および特定の実施形態に対して好適であると考えられる他のあらゆる数が挙げられる。
【００５２】
図示する実施形態において、図７に示すように、コネクタ２８は、基端部１４０と、先端部１４２と、第１部分１４４と、第２部分１４６と、第３部分１４８と、通路１５２、凹部１５４、溝１５６および複数のかえし（ｂａｒｂ）１５８を画定するコネクタ本体１５０とを有している。任意選択的に、コネクタ２８を、選択的流体遮断弁装置１０から省略することができ、別個の構成要素として設けることができる。
【００５３】
コネクタ２８の第１部分１４４は、コネクタ２８の先端部１４２から基端部１４０まで延在している。コネクタ２８の第２部分１４６は、第１部分１４４からコネクタ２８の基端部１４０に向かって延在している。コネクタ２８の第３部分１４８は、第２部分１４６からコネクタ２８の基端部１４０まで延在している。したがって、第２部分１４６は、第１部分１４４と第３部分１４８との間に配置されている。
【００５４】
通路１５２は、コネクタ２８を通してコネクタ２８の基端部１４０から先端部１４２まで延在し、医療デバイスを受け入れるようにサイズが決められかつ構成されている。図１に示すように、選択的流体遮断弁装置１０が組み立てられると、スリーブ２０によって画定される通路１１６は、コネクタ２８によって画定される通路１５２と連通する。
【００５５】
凹部１５４は、基端部１４０からコネクタ２８の第３部分１４８内に延在し、先端部１４２に向かって延在している。凹部１５４は、スリーブ２０の一部（たとえば、フランジ１２０）を受け入れるようにサイズが決められかつ構成されている。溝１５６は、コネクタ本体１５０内に選択的流体遮断弁装置１０の長手方向軸１１に向かって延在し、コネクタ２８の第３部分１４８に配置されている。図示する実施形態では、溝１５６は、コネクタ２８の外面の円周全体に延在している。しかしながら、代替実施形態は、外面の一部の周囲に延在する溝を画定しているコネクタを含むことができる。溝１５６は、コネクタ２８をハウジング１６に解除可能に取り付けることができるようにハウジング１６によって画定された隆起部５４の一部を受け入れるようにサイズが決められかつ構成されている（たとえば、ハウジング１６とコネクタ２８との間にスナップフィット構成が達成される）。任意選択的に、実施形態のコネクタを、ハウジングに対して移動可能でないように、本明細書に記載するもの等、あらゆる好適な技法または方法を用いて、ハウジングに固定して取り付けることができる。
【００５６】
複数のかえし１５８は、コネクタ２８の第１部分１４４に画定されている。複数のかえし１５８の各かえしは、コネクタ２８の外面から、かつ選択的流体遮断弁装置１０の長手方向軸１１から離れるように延在している。複数のかえし１５８は、別の構成要素（たとえば、医療デバイス、管状部材）をコネクタ２８に解除可能に取り付ける機構を提供する。
【００５７】
ハウジング１６、アクチュエータ１８およびコネクタ２８の各々を、あらゆる好適な材料から、かつあらゆる好適な製造技法を用いて形成することができ、当業者は、実施形態のスリーブを形成する材料を含むさまざまな考慮事項に基づいて、特定の実施形態に従ってハウジング、アクチュエータおよびコネクタを形成するために好適な材料および技法を選択することができる。ハウジング、アクチュエータおよび／またはコネクタを形成するために好適であると考えられる材料の例としては、生体適合性材料、生体適合性にすることができる材料、ステンレス鋼、チタン、ニッケル−チタン合金等の金属、ポリマー、ポリエチレン、ポリ塩化ビニル、ポリスチレン、ポリカーボネート、ポリアセタール、ポリプロピレン、ターポリマー、アクリルニトリルブタジエンスチレン（ＡＢＳ）、および特定の実施形態に対して好適であると考えられる他のあらゆる材料が挙げられる。ハウジング、アクチュエータおよび／またはコネクタを形成するために好適であると考えられる技法例としては、射出成形、鋳造、および特定の実施形態に対して好適であると考えられる他のあらゆる技法が挙げられる。
【００５８】
ハウジング１６とアクチュエータ１８との間およびハウジング１６とコネクタ２８との間にスナップフィット取付が示されているが、これらの構成要素の間にあらゆる好適な形態の取付を使用することができる。当業者は、それらの構成要素を形成する材料等、さまざまな考慮事項に基づいて、特定の実施形態に従って、ハウジングとアクチュエータとの間およびハウジングとコネクタとの間の好適な形態の取付を選択することができる。たとえば、アクチュエータをハウジングの上に配置することができ、アクチュエータの基端部とハウジングの基端部との間においてハウジングによって画定される空洞内にピンを配置して、アクチュエータがハウジングから離れることを防止することができる。別法として、またはピンの使用と組み合わせて、ハウジングとコネクタとの間にモールステーパおよび／またはねじ式取付を用いることができる。
【００５９】
図８Ａ、図９Ａおよび図１０Ａに示すように、アクチュエータ１８が第１位置にある時、選択的流体遮断弁装置１０は第１形態にあり、スリーブ２０によって画定された通路は開放されており、流体は、通路１１６を通過することができ、ワイヤ部材２２、２４、２６の各々はその第１形態にある。アクチュエータ１８が第１位置にある時、図８Ａに示すように、スリーブ２０の基端部１１０は、ハウジング１６の基端部３０から第１距離に配置される。
【００６０】
アクチュエータ１８の第１位置から第２位置への移動を、ハウジング１６の位置を維持し、図１において矢印１５９によって示すように、アクチュエータ１８に対して右回り方向に回転力を加えて、アクチュエータ１８のリブ８４、８６、８８の各隆起部１０２が複数の凹部７６のうちの１つの凹部から複数の凹部７６のうちの別の凹部まで移動するようにする等、あらゆる好適な方法でかつあらゆる好適な工程および／または技法を用いて達成することができる。図８Ｂ、図９Ｂおよび図１０Ｂは、アクチュエータ１８が第１位置と第２位置との間にある時のハウジング１６、スリーブ２０およびワイヤ部材２２、２４、２６の構成を示す。この構成では、選択的流体遮断弁装置１０、スリーブ２０、第１ワイヤ部材２２、第２ワイヤ部材２４および第３ワイヤ部材２６の各々は、第１形態と第２形態との間にある。回転力は、アクチュエータ１８がその第２位置に移動し、スリーブ２０が第２形態に移動するまでアクチュエータ１８に加えられ、それにより、スリーブ２０によって画定された通路１１６が閉鎖され、流体は通路１１６を通過することが阻止される。スリーブ２０が第２形態にある時、スリーブ２０を形成する材料は、それ自体接触して、スリーブ２０によって画定された通路１１６を閉鎖する。しかしながら、１つまたは複数の医療デバイスがスリーブ２０によって画定された通路１１６を通過する時、スリーブ２０を形成する材料は、医療デバイスのうちの１つまたは複数の一部と接触して通路１１６を閉鎖して、流体が通路１１６を通過するのを阻止する。
【００６１】
図８Ｃ、図９Ｃおよび図１０Ｃは、アクチュエータ１８が第２位置にある時のハウジング１６、スリーブ２０およびワイヤ部材２２、２４、２６の構成を示す。この構成では、選択的流体遮断弁装置１０、スリーブ２０、第１ワイヤ部材２２、第２ワイヤ部材２４および第３ワイヤ部材２６の各々は、第２形態にある。図８Ｃに示すように、アクチュエータ１８が第２位置にある時、スリーブ２０の基端部１１０は、ハウジング１６の基端部３０から第２距離に配置される。図示する実施形態では、第２距離は第１距離より大きく、それにより、アクチュエータ１８がその第１位置からその第２位置まで移動する際、スリーブ２０の基端部１１０はハウジング１６の先端部３２に向かって前進する。したがって、スリーブ２０の基端部１１０は、ハウジング１６に対して移動可能である。しかしながら、代替実施形態は、ハウジングに対して固定される基端部を有するスリーブを含むことができる。
【００６２】
アクチュエータ１８のその第２形態からその第１形態への移動を、ハウジング１６の位置を維持し、アクチュエータ１８に対して矢印１５９によって示す方向と反対の左回り方向に回転力を加え、それによりアクチュエータ１８のリブ８４、８６、８８の各隆起部１０２が複数の凹部７６のうちの１つの凹部から複数の凹部７６のうちの別の凹部まで移動するようにすることによる等、あらゆる好適な方法でかつあらゆる好適な工程および／または技法を用いて達成することができる。アクチュエータ１８のその第２位置からその第１位置までの移動により、スリーブ２０は、スリーブ２０によって画定された通路１１６が流体流に対して閉鎖されるその第２形態から、スリーブ２０によって画定された通路１１６が流体流に対して開放される第１形態まで移動する。アクチュエータ１８のその第２位置からその第１位置までの移動により、スリーブ２０の基端部１１０はハウジング１６の基端部３０に向かって前進する。コネクタがハウジングに固定して取り付けられ、ハウジングに対して移動可能である実施形態では、ハウジングおよび／またはコネクタの位置を、アクチュエータのその第１位置とその第２位置との間の移動を達成するように維持することができる。
【００６３】
選択的流体遮断弁装置１０は、あらゆる好適な医療デバイスに、スリーブ２０が第１形態にある時にスリーブ２０によって画定された通路１１６の内径より小さい外径を有する、スリーブ２０によって画定された通路１１６を通過させることができるように、構成される。したがって、選択的流体遮断弁装置１０のスリーブ２０を、１つまたは複数の医療でデバイスに、スリーブ２０によって画定された通路１１６を通過させることができるようにサイズを決めかつ構成することができる。選択的流体遮断弁装置１０を、行われている治療に基づいてその第１形態とその第２形態との間で選択的に移動させることができる。
【００６４】
任意選択的に、流体遮断弁装置は、スリーブに対して先端側に配置された１つまたは複数の封止部材を含むことができる。たとえば、封止部材を、ハウジング通路内でハウジングにかつ／またはコネクタ通路内でコネクタに取り付けることができる。封止部材を、封止部材を通して挿入されるデバイスに対して十分な可撓性および弾性を提供し、デバイスが封止部材を横切るのを可能にするために必要な程度まで伸長し、デバイスが取り除かれる時にデバイスによって生成された開口部が伸長前状態に実質的に戻るのを可能にすることができる、軟質、半剛性または弾性材料から形成することができる。たとえば、封止部材は、事前画定されたスリットを有するかまたは事前画定されたスリットを含まないディスクを備えることができる。封止部材を、エラストマー、ｅＰＦＴＥ、ナイロン、ポリエチレン、シリコーン、ウレタン、他のポリマー材料、本明細書に記載する材料、および特定の実施形態に対して好適であると考えられる他のあらゆる材料等、あらゆる好適な材料から形成することができる。封止部材は、丸い、正方形、またはハウジングおよび／またはコネクタによって画定された通路と実質的に同様であるかまたは適合する他のあらゆる形状等、あらゆる好適な形状を有することができる。封止部材は、選択的流体遮断弁装置の構造配置（たとえば、ハウジング、コネクタ）、および封止部材を横切るように意図されたデバイスの構造配置に応じて、あらゆる好適な厚さ、長さ、幅または直径を有することができる。
【００６５】
任意選択的に、選択的流体遮断弁装置を、アクチュエータが第２位置に付勢されるように第２形態に付勢することができる。これを、あらゆる好適な構造形態または構成要素を用いて達成することができる。たとえば、ねじりばねを、ハウジングとアクチュエータとの間に配置し、選択的流体遮断弁装置にいかなる外力も加えられていない時にばねがアクチュエータを第２位置に配置するように、ハウジングおよびアクチュエータに取り付けることができる。
【００６６】
代替実施形態は、ハウジングの基端部に対して第１距離基端側に配置される基端部を有するスリーブを含むことができる。これらの代替実施形態では、アクチュエータがその第１位置からその第２位置まで移動する際、スリーブの基端部はハウジングの基端部に向かって前進し、それにより、ハウジングの先端部から第２距離に配置される。第２距離は、第１距離より小さい場合もあれば大きい場合もある。代替実施形態を、アクチュエータの左回り方向の移動によりアクチュエータがその第１位置からその第２位置まで移動し、スリーブおよびワイヤ部材の各々がそれらのそれぞれの第１形態からそれらの第２形態に移動し、アクチュエータの右回り方向の移動によりアクチュエータがその第２位置からその第１位置まで移動し、スリーブおよびワイヤ部材の各々がそれらのそれぞれの第２形態からそれらの第１形態に移動するように構成することができる。
【００６７】
図１、図２、図３、図４、図５、図６、図７、図８Ａ、図８Ｂ、図８Ｃ、図９Ａ、図９Ｂ、図９Ｃ、図１０Ａ、図１０Ｂおよび図１０Ｃに関して記載したスリーブ２０等のスリーブを含むことに対する代替態様として、選択的流体遮断弁装置は、基端部分を有するスリーブであって、基端部分が、スリーブが第１形態にある時に折り畳まれる、スリーブを含むことができる。これらの代替実施形態では、スリーブの基端部の一部または全体がハウジング（たとえば、ハウジングの基端部におけるハウジングの内面、ハウジングの外面）に取り付けられ、スリーブの基端部は、スリーブが第１形態にある時にスリーブの一部の先端側に配置される。スリーブの基端部を、接着剤の使用、溶接、融着、および特定の実施形態に対して好適であると考えられるあらゆる他の方法または技法等、あらゆる好適な方法または技法を用いて、ハウジングに取り付けることができる。これらの代替実施形態では、スリーブが第１形態から第２形態まで移動する際、スリーブの基端部に対して基端側に配置されたスリーブの部分は、ハウジングの先端部に向かって前進する。第２形態では、スリーブの一部の形態は、折り畳まれるスリーブの量に基づいて変化する。たとえば、スリーブが第２形態にある時、スリーブの一部を、スリーブの基端部に対して基端側にまたは先端側に配置することができる。スリーブが第２形態から第１形態に移動する際、スリーブの一部はハウジングの先端部から離れるように前進する。ハウジングに取り付けられるスリーブを含めることにより、使用中にデバイスまたは流体がスリーブとハウジングとの間に誘導されることが防止される。
【００６８】
図１１、図１２、図１３および図１４は、別の選択的流体遮断弁装置２１０を示す。選択的流体遮断弁装置２１０は、後述する点を除き、図１、図２、図３、図４、図５、図６、図７、図８Ａ、図８Ｂ、図８Ｃ、図９Ａ、図９Ｂ、図９Ｃ、図１０Ａ、図１０Ｂおよび図１０Ｃに示しかつ上述した選択的流体遮断弁装置１０と同様である。選択的流体遮断弁装置２１０に関して、図１１、図１２、図１３および図１４における参照番号は、２００を引いた、図１、図２、図３、図４、図５、図６、図７、図８Ａ、図８Ｂ、図８Ｃ、図９Ａ、図９Ｂ、図９Ｃ、図１０Ａ、図１０Ｂおよび図１０Ｃにおける同じ番号によって参照される同じ構造的要素または特徴を指す。したがって、選択的流体遮断弁装置２１０は、ハウジング２１６、アクチュエータ２１８、スリーブ２２０およびコネクタ２２８を備えている。明確にするために、図１１、図１２、図１３および図１４から、第１ワイヤ部材（たとえば、第１ワイヤ部材２２）、第２ワイヤ部材（たとえば、第２ワイヤ部材２４）および第３ワイヤ部材（たとえば、第３ワイヤ部材２６）は省略されている。
【００６９】
図示する実施形態では、ハウジング本体２３４は、ハウジング２１６によって画定された通路２４６内に複数の溝３６０を画定している。複数の溝３６０の各溝は、ハウジング本体２３４内に、かつ選択的流体遮断弁装置２１０の長手方向軸２１１から離れるように延在し、後述するように、スリーブ２２０によって画定される複数の隆起部３６２のうちの１つの隆起部を受け入れるようにサイズが決められかつ構成されている。
【００７０】
図示する実施形態では、スリーブ本体３１４は、複数の隆起部３６２、第１突起３６４および第２突起３６６を画定している。複数の隆起部３６２は、スリーブ２２０の外面３２１から外側にかつ選択的流体遮断弁装置２１０の長手方向軸２１１から離れるように延在している。複数の隆起部３６２の各隆起部は、ハウジング２１６によって画定された複数の溝３６０のうちの１つの溝によって受け入れられるようにサイズが決められかつ構成されている。図示する実施形態では、複数の隆起部３６２の各隆起部は、ハウジング２１６によって画定された複数の溝３６０のうちの１つの溝に配置されている。この構成により、使用中にスリーブ２２０に追加の支持を提供する機構が提供される。
【００７１】
第１突起３６４および第２突起３６６の各々は、先細り形状を有し、スリーブ２２０の内面３２２から選択的流体遮断弁装置２１０の長手方向軸２１１に向かって延在している。第１突起３６４は、第１端部３６８および第２端部３６９を有している。第２突起３６６は、第１端部３７０および第２端部３７１を有している。第１突起３６４の第１端部３６８は、第２突起３６６の第１端部３７０とスリーブ２２０の基端部３１０との間に配置されている。第１突起３６４の第２端部３６９は、第２突起３６６の第２端部３７１とスリーブ２２０の先端部３１２との間に配置されている。第２突起３６６の第１端部３７０は、第１突起３６４の第１端部３６８とスリーブ２２０の先端部３１２との間に配置されている。第２突起３６６の第２端部３７１は、第１突起３６４の第２端部３６９とスリーブ２２０の基端部３１０との間に配置されている。突起３６４、３６６の各々は、スリーブ２２０の通路３１６内に、選択的流体遮断弁装置２１０が第２形態にある時に流体が通路３１６を通過するのを阻止する構造を提供する。
【００７２】
スリーブ本体３１４は、第１突起３６４および第２突起３６６を画定するものとして示されており、各突起は、先細り形状を有するものとして示されているが、スリーブは、あらゆる好適な構造形態を有するあらゆる好適な数の突起を画定することができる。当業者は、スリーブによって画定された通路を通過するように意図された医療デバイスを含むさまざまな考慮事項に基づいて、特定の実施形態に従って、スリーブの通路内に画定する突起の好適な数および各突起に対する好適な構造形態を選択することができる。スリーブの通路内に含めるために好適であると考えられる突起の数の例としては、１つ、少なくとも１つ、２つ、複数、３つ、４つ、および特定の実施形態に対して好適であると考えられる他のあらゆる数が挙げられる。突起に対して好適であると考えられる構造配置例としては、湾曲、先細り、矩形、正方形、半円形、および特定の実施形態に対して好適であると考えられる他のあらゆる形状である断面形状を有する突起が挙げられる。
【００７３】
ハウジング本体２３４は、複数の溝３６０を画定するものとして示され、スリーブ本体３１４は、複数の隆起部３６２を画定するものとして示されているが、ハウジングは、あらゆる好適な数の溝を画定することができ、スリーブは、あらゆる好適な数の隆起部を画定することができる。選択的流体遮断弁装置に含めるために好適であると考えられる溝および／または隆起部の数の例としては、１つ、少なくとも１つ、２つ、複数、３つ、４つ、および特定の実施形態に対して好適であると考えられる他のあらゆる数が挙げられる。複数の溝を画定するハウジングおよび複数の隆起部を画定するスリーブの代りに、ハウジング本体が、１つの隆起部または複数の隆起部を画定することができ、スリーブ本体が、１つの溝または複数の溝を画定することができる。
【００７４】
図１５、図１６および図１７は、別の選択的流体遮断弁装置４１０を示す。選択的流体遮断弁装置４１０は、後述する点を除き、図１、図２、図３、図４、図５、図６、図７、図８Ａ、図８Ｂ、図８Ｃ、図９Ａ、図９Ｂ、図９Ｃ、図１０Ａ、図１０Ｂおよび図１０Ｃに示しかつ上述した選択的流体遮断弁装置１０と同様である。選択的流体遮断弁装置４１０に関して、図１５、図１６および図１７における参照番号は、４００を引いた、図１、図２、図３、図４、図５、図６、図７、図８Ａ、図８Ｂ、図８Ｃ、図９Ａ、図９Ｂ、図９Ｃ、図１０Ａ、図１０Ｂおよび図１０Ｃにおける同じ番号によって参照される同じ構造的要素または特徴を指す。したがって、選択的流体遮断弁装置４１０は、ハウジング４１６、アクチュエータ４１８、スリーブ４２０およびコネクタ４２８を備えている。
【００７５】
図示する実施形態では、選択的流体遮断弁装置４１０は、第２ワイヤ部材（たとえば、第２ワイヤ部材２４）および第３ワイヤ部材（たとえば、第３ワイヤ部材２６）を含まない。ハウジング４１６は、第３開口部（たとえば、第３開口部６０）、第１空洞（たとえば、第１空洞６２）、第２空洞（たとえば、第２空洞６４）および第３空洞（たとえば、第３空洞６６）を含まない。アクチュエータ４１８は、第２空洞（たとえば、第２空洞９２）および第３空洞（たとえば、第３空洞９４）を含まない。
【００７６】
図示する実施形態では、ハウジング本体４３４は、第２開口部４５８に隣接する第１開口部４５６を画定し、第１開口部４５６および第２開口部４５８の各々は円形である。しかしながら、第１開口部および第２開口部は、楕円形、矩形、正方形等、あらゆる好適な構造配置を有することができ、ハウジングのあらゆる好適な位置に配置され得る。
【００７７】
第１ワイヤ部材４２２は、第１空洞４９０内でアクチュエータ４１８に取り付けられた第１端部５２４と、第２端部５２６とを有し、第２端部５２６は、第１端部５２４と第２端部５２６との間で第１ワイヤ部材４２２に取り付けられている。第１ワイヤ部材４２２は、アクチュエータ４１８によって画定された第１空洞４９０内に配置された第１端部５２４から、ハウジング４１６によって画定された第１開口部４５６を通って、スリーブ４２０の外面５２１の周囲に、ハウジング４１６によって画定された第２開口部４５８を通って、第１ワイヤ部材４２２の外面の周囲に延在し、第１端部５２４と第２端部５２６との間でそれ自体に取り付けられている。したがって、第１ワイヤ部材４２２は、その第２端部５２６にループ５７４を画定し、そこを通して第１ワイヤ部材４２２が配置されている。
【００７８】
図示する実施形態では、第１ワイヤ部材４２２は、選択的流体遮断弁装置４１０の長手方向軸４１１（すなわち、選択的流体遮断弁装置の長手方向軸４１１を含む平面）に対して直交して配置され、スリーブ４２０の外面５２１の５０％を超えて配置されている。これにより、スリーブ４２０をその第１形態からその第２形態に移動させる機構が提供される。しかしながら、代替実施形態は、スリーブの外面の７５％を超えて配置されるか、またはスリーブの外面の１００％を超えて配置される、単一のワイヤ部材を含むことができる。たとえば、ワイヤ部材を、スリーブの外面の周囲に少なくとも１回転で延在するように配置することができる。
【００７９】
アクチュエータ４１８がその第１位置からその第２位置まで移動する際、第１ワイヤ部材４２２は、その第１形態からその第２形態に移動し、ループ５７４を通して引っ張られ、それにより、スリーブ４２０がその第１形態からその第２形態に移動する。図１６および図１７は、第１形態のスリーブ４２０と第１形態の第１ワイヤ部材４２２とを示す。
【００８０】
図１８および図１９は、別の選択的流体遮断弁装置６１０を示す。選択的流体遮断弁装置６１０は、後述する点を除き、図１、図２、図３、図４、図５、図６、図７、図８Ａ、図８Ｂ、図８Ｃ、図９Ａ、図９Ｂ、図９Ｃ、図１０Ａ、図１０Ｂおよび図１０Ｃに示しかつ上述した選択的流体遮断弁装置１０と同様である。選択的流体遮断弁装置６１０に関して、図１８および図１９における参照番号は、６００を引いた、図１、図２、図３、図４、図５、図６、図７、図８Ａ、図８Ｂ、図８Ｃ、図９Ａ、図９Ｂ、図９Ｃ、図１０Ａ、図１０Ｂおよび図１０Ｃにおける同じ番号によって参照される同じ構造的要素または特徴を指す。したがって、選択的流体遮断弁装置６１０は、ハウジング６１６、アクチュエータ（図示せず）、スリーブ６２０、第１ワイヤ部材６２２、第２ワイヤ部材６２４、第３ワイヤ部材６２６およびコネクタ（図示せず）を備えている。
【００８１】
図示する実施形態では、ハウジング６１６は、第１空洞（たとえば、第１空洞６２）、第２空洞（たとえば、第２空洞６４）および第３空洞（たとえば、第３空洞６６）を含まず、第１ワイヤ部材６２２、第２ワイヤ部材６２４および第３ワイヤ部材６２６は、後述するような構成を有している。
【００８２】
第１ワイヤ部材６２２は、第１空洞内でアクチュエータに取り付けられた第１端部（図示せず）と、第２端部７２６とを有し、第２端部７２６は、第１ワイヤ部材６２２の第１端部と第２端部７２６との間で第１ワイヤ部材６２２に取り付けられている。第１ワイヤ部材６２２は、アクチュエータによって画定された第１空洞内に配置された第１端部から、ハウジング６１６によって画定された第１開口部６５６を通って、スリーブ６２０の外面７２１の一部の周囲に、第２ワイヤ部材６２４の外面の周囲に延在し、第１端部と第２端部７２６との間でそれ自体に取り付けられている。したがって、第１ワイヤ部材６２２は、その第２端部７２６にループ７７４を画定し、そこを通して第２ワイヤ部材６２４が配置されている。
【００８３】
第２ワイヤ部材６２４は、第２空洞内でアクチュエータに取り付けられた第１端部（図示せず）と、第２端部７３０とを有し、第２端部７３０は、第２ワイヤ部材６２４の第１端部と第２端部７３０との間で第２ワイヤ部材６２４に取り付けられている。第２ワイヤ部材６２４は、アクチュエータによって画定された第２空洞内に配置された第１端部から、ハウジング６１６によって画定された第２開口部６５８を通って、スリーブ６２０の外面７２１の一部の周囲に、第３ワイヤ部材６２６の外面の周囲に延在し、第１端部と第２端部７３０との間でそれ自体に取り付けられている。したがって、第２ワイヤ部材６２４は、その第２端部７３０にループ７７６を画定し、そこを通して第３ワイヤ部材６２６が配置されている。
【００８４】
第３ワイヤ部材６２６は、第３空洞内でアクチュエータに取り付けられた第１端部（図示せず）と、第２端部７３４とを有し、第２端部７３４は、第３ワイヤ部材６２６の第１端部と第２端部７３４との間で第３ワイヤ部材６２６に取り付けられている。第３ワイヤ部材６２６は、アクチュエータによって画定された第３空洞内に配置された第１端部から、ハウジング６１６によって画定された第３開口部６６０を通って、スリーブ６２０の外面７２１の一部の周囲に、第１ワイヤ部材６２２の外面の周囲に延在し、第１端部と第２端部７３４との間でそれ自体に取り付けられている。したがって、第３ワイヤ部材６２６は、その第２端部７３４にループ７７８を画定し、そこを通して第１ワイヤ部材６２２が配置されている。
【００８５】
アクチュエータがその第１位置からその第２位置まで移動する際、ワイヤ部材６２２、６２４、６２６の各々は、その第１形態からその第２形態に移動する。第１ワイヤ部材６２２は、第３ワイヤ部材６２６によって画定されたループ７７８を通して引っ張られ、ループ７７４を画定する第１ワイヤ部材６２２の部分は、第２ワイヤ部材６２４に対して第１開口部６５６に向けられた力を加える。第２ワイヤ部材６２４は、第１ワイヤ部材６２２によって画定されたループ７７４を通して引っ張られ、ループ７７６を画定する第２ワイヤ部材６２４の部分は、第３ワイヤ部材６２６に対して第２開口部６５８に向けられた力を加える。第３ワイヤ部材６２６は、第２ワイヤ部材６２４によって画定されたループ７７６を通して引っ張られ、ループ７７８を画定する第３ワイヤ部材６２６の部分は、第１ワイヤ部材６２２に対して第３開口部６６０に向けられた力を加える。この構成により、アクチュエータがその第１位置から第２位置に移動し、ワイヤ部材６２２、６２４、６２６がその第１形態からその第２形態に移動する際、スリーブ６２０がその第１形態からその第２形態に移動する。図１８は、第１形態にあるスリーブ６２０と第１形態にあるワイヤ部材６２２、６２４、６２６の各々とを示す。図１９は、第２形態にあるスリーブ６２０と第２形態にあるワイヤ部材６２２、６２４、６２６の各々とを示す。
【００８６】
図２０、図２１および図２２は、別の選択的流体遮断弁装置８１０を示す。選択的流体遮断弁装置８１０は、後述する点を除き、図１、図２、図３、図４、図５、図６、図７、図８Ａ、図８Ｂ、図８Ｃ、図９Ａ、図９Ｂ、図９Ｃ、図１０Ａ、図１０Ｂおよび図１０Ｃに示しかつ上述した選択的流体遮断弁装置１０と同様である。選択的流体遮断弁装置８１０に関して、図２０、図２１および図２２における参照番号は、８００を引いた、図１、図２、図３、図４、図５、図６、図７、図８Ａ、図８Ｂ、図８Ｃ、図９Ａ、図９Ｂ、図９Ｃ、図１０Ａ、図１０Ｂおよび図１０Ｃにおける同じ番号によって参照される同じ構造的要素または特徴を指す。したがって、選択的流体遮断弁装置８１０は、ハウジング８１６、アクチュエータ８１８、スリーブ８２０、第１ワイヤ部材８２２およびコネクタ８２８を備えている。
【００８７】
図示する実施形態では、選択的流体遮断弁装置８１０のアクチュエータ８１８は、ハウジング８１６に摺動可能に配置される摺動可能部材９８０である。選択的流体遮断弁装置８１０は、第２ワイヤ部材（たとえば、第２ワイヤ部材２４）および第３ワイヤ部材（たとえば、第３ワイヤ部材２６）を含まず、ハウジング８１６は、溝（たとえば、溝５０）、複数の凹部（たとえば、複数の凹部５２）、第２開口部（たとえば、第２開口部５８）、第３開口部（たとえば、第３開口部６０）、第２空洞（たとえば、第２空洞６４）および第３空洞（たとえば、第３空洞６６）を含まない。
【００８８】
図示する実施形態では、ハウジング本体８３４によって画定された第１開口部８５６は、ハウジング８１６の外面８６８からハウジング８１６の内面８６９まで、かつハウジング８１６の基端部８３０に向かって延在している。したがって、第１開口部８５６は、選択的流体遮断弁装置８１０の長手方向軸８１１（すなわち、選択的流体遮断弁装置８１０の長手方向軸８１１を含む平面）に対して角度をなして配置される長手方向軸を有している。
【００８９】
アクチュエータ８１８は、ハウジング８１６の第３部分８４０に摺動可能に配置され、第１位置と第２位置との間で移動可能である。第１位置では、アクチュエータ８１８は、ハウジング８１６の基端部８３０から第１距離に配置される。第２位置では、アクチュエータ８１８は、ハウジング８１６の基端部８３０から第２距離に配置される。第１距離は第２距離より大きく、それにより、ハウジング８１６の基端部８３０に向かうアクチュエータ８１８の軸方向移動によって、スリーブ８２０がその第１形態からその第２形態まで移動する。別法として、アクチュエータを選択的流体遮断弁装置に、ハウジングの第３部分に摺動可能に配置されかつ第１位置と第２位置との間で移動可能であるように配置することができる。第１形態では、アクチュエータは、ハウジングの基端部から第１距離に配置される。第２位置では、アクチュエータは、ハウジングの基端部から第２距離に配置される。第１距離は第２距離より小さく、それにより、ハウジングの先端部に向かうアクチュエータの軸方向移動によって、スリーブがその第１形態から第２形態に移動する。
【００９０】
アクチュエータ８１８は、基端部９８１と、先端部９８２と、通路９８４、空洞９８５、外面９８６および内面９８７を画定するアクチュエータ本体９８３とを備えている。通路９８４は、アクチュエータ８１８を通してアクチュエータ８１８の基端部９８１から先端部９８２まで延在している。空洞９８５は、内面９８７の開口部から外面９８６に向かって、かつアクチュエータ８１８の基端部９８１に向かって延在している。したがって、空洞９８５は、選択的流体遮断弁装置８１０の長手方向軸８１１（すなわち、選択的流体遮断弁装置８１０の長手方向軸８１１を含む平面）に対して角度をなして配置される長手方向軸を有している。
【００９１】
第１ワイヤ部材８２２は、空洞８６２内でハウジング８１６に取り付けられた第１端部９２４と、空洞９８５内でアクチュエータ８１８に取り付けられた第２端部９２６とを有している。第１ワイヤ部材８２２は、ハウジング８１６によって画定された空洞８６２内に配置された第１端部９２４から、スリーブ８２０の外面９２１の周囲に、ハウジング８１６によって画定された第１開口部８５６を通って、アクチュエータ８１８によって画定された空洞９８５内に配置された第２端部９２６まで延在している。
【００９２】
アクチュエータ８１８がその第１位置からその第２位置まで移動する際、第１ワイヤ部材８２２は、その第１形態から第２形態に移動する。第１ワイヤ部材８２２は、ハウジング８１６によって画定された第１開口部８５６を通して引っ張られ、第１ワイヤ部材８２２の第２端部９２６は、ハウジング８１６の基端部８３０に向かって前進する。これにより、スリーブ８２０は、スリーブ８２０によって画定された通路９１６が開放され流体が通路９１６を通過することができる第１形態から、スリーブ８２０によって画定された通路９１６が閉鎖され流体が通路９１６を通過するのが阻止される第２形態まで前進する。
【００９３】
ここで、治療方法について述べる。本明細書に記載する方法は、一連の行為として示され記載されているが、それら方法は、記載されかつ例示される行為の順序によって限定されず、それは、いくつかの行為を、これらの方法に従って、省略し、繰返し、異なる順序でかつ／または本明細書に記載する他の行為と同時に行うことができるためである、ということが理解され認識されるべきである。
【００９４】
図２３は、選択的流体遮断弁装置を用いる治療方法１０００のフローチャート図である。
【００９５】
ステップ１００２は、選択的流体遮断弁装置を、近位端と、遠位端と、近位端から遠位端まで延在する内腔を画定する本体とを有する第１医療デバイスに取り付けることを含む。選択的流体遮断装置は、ハウジング、アクチュエータ、スリーブ、第１ワイヤ部材、第２ワイヤ部材、第３ワイヤ部材およびコネクタを備えている。別のステップ１００４は、第１医療デバイスを体内通路内に、第１医療デバイスの遠位端が体内通路内に配置されるように挿入することを含む。別のステップ１００６は、近位端および遠位端を有する第２医療デバイスを、選択的流体遮断弁装置および第１医療デバイスを通して、第２医療デバイスの遠位端が体内通路内に配置されるように挿入することを含む。別のステップ１００８は、第２医療デバイスの遠位端を、体内通路内の治療箇所まで進めることを含む。別のステップ１０１０は、アクチュエータを第１位置から第２位置まで移動させることを含む。別のステップ１０１２は、第２医療デバイスを用いて治療を行うことを含む。別のステップ１０１４は、アクチュエータを第２位置から第１位置に移動させることを含む。別のステップ１０１６は、体内通路、第１医療デバイスおよび選択的流体遮断弁装置から第２医療デバイスを引き抜くことを含む。別のステップ１０１８は、体内通路から第１医療デバイスを引き抜くことを含む。
【００９６】
ステップ１００２を、あらゆる好適な選択的流体遮断弁装置を用いて達成することができ、当業者は、行われている治療のタイプを含むさまざまな考慮事項に基づいて、特定の実施形態に従って治療方法で使用するために好適な選択的流体遮断弁装置を選択することができる。治療方法で使用するために好適であると考えられる選択的流体遮断弁装置例としては、選択的流体遮断弁装置１０、選択的流体遮断弁装置２１０、選択的流体遮断弁装置４１０、選択的流体遮断弁装置６１０、選択的流体遮断弁装置８１０、選択的流体遮断弁装置１１１０、それらの変形、および特定の治療方法に対して好適であると考えられる他のあらゆる選択的流体遮断弁装置等、本明細書に記載する選択的流体遮断弁装置が挙げられる。本明細書に記載する方法、ステップ、代替ステップおよび／または任意選択的なステップを達成するために使用することができる例示的な選択的流体遮断弁装置は、図１、図２、図３、図４、図５、図６、図７、図８Ａ、図８Ｂ、図８Ｃ、図９Ａ、図９Ｂ、図９Ｃ、図１０Ａ、図１０Ｂおよび図１０Ｃに関して例示され記載されており、ハウジング１６、アクチュエータ１８、スリーブ２０、第１ワイヤ部材２２、第２ワイヤ部材２４、第３ワイヤ部材２６およびコネクタ２８を備えている。選択的流体遮断弁装置１０は、本明細書に記載するように、第１形態と第２形態との間で移動可能である。
【００９７】
ステップ１００２を、あらゆる好適な医療デバイスを用いて達成することができ、当業者は、行われている治療のタイプを含むさまざまな考慮事項に基づいて、特定の実施形態に従って治療方法で使用するために好適な医療デバイスを選択することができる。治療方法で使用するために好適であると考えらえる医療デバイス例としては、管状部材、シース、カニューレ、ワイヤガイド、および特定の治療方法に対して好適であると考えられる他のあらゆる医療デバイスが挙げられる。ステップ１００２を、あらゆる好適な長さ、構造形態を有し、あらゆる好適な材料から形成される医療デバイスを用いて達成することができる。
【００９８】
ステップ１００２を、コネクタ２８の先端部１４２を第１医療デバイスによって画定された内腔内に挿入して、第１医療デバイスおよびコネクタが互いに取り付けられ、コネクタ２８と医療デバイスとの間に封止された係合が提供されるまで、コネクタ２８に対して第１医療デバイスに向けられる力を加え、かつ第１医療デバイスの位置を維持し、第１医療デバイスに対してコネクタ２８に向けられる力を加え、かつコネクタ２８の位置を維持し、または、コネクタ２８に対して第１医療デバイスに向けられる力を加え、かつ同時に、第１医療デバイスに対してコネクタ２８に向けられる力を加えることによる等、あらゆる好適な方法でかつあらゆる好適な工程および／または技法を用いて達成することができる。任意選択的に、第１医療デバイスは、コネクタに取り付けられるように選択的流体遮断弁装置の構成要素を備えることができる。
【００９９】
コネクタ２８が別個の構成要素として提供される実施形態では、別のステップは、コネクタ２８をハウジング１６に取り付けることを含む。このステップを、コネクタ２８の基端部１４０をハウジング１６の先端部３２に配置し、かつハウジング１６に対してコネクタ２８に向けられる力を加え、かつコネクタの位置を維持することにより、コネクタ２８に対してハウジング１６に向けられる力を加え、かつハウジング１６の位置を維持することにより、または、ハウジング１６に対してコネクタ２８に向けられる力を加え、かつ同時に、コネクタ２８に対してハウジング１６に向けられる力を加えることによる等、あらゆる好適な方法でかつあらゆる好適な工程および／または技法を用いて達成することができる。
【０１００】
ステップ１００４を、第１医療デバイスの遠位端が体内通路内に配置されるように、選択的流体遮断弁装置１０および／または第１医療デバイスに対して体内通路に向けられる力を加えることによる等、あらゆる好適な方法でかつあらゆる好適な工程および／または技法を用いて達成することができる。
【０１０１】
ステップ１００４の前に完了することができる任意選択的なステップは、ワイヤガイド近位端およびワイヤガイド遠位端を有するワイヤガイドを体内通路内に、ワイヤガイド遠位端が体内通路内に配置されるように導入することを含む。この任意選択的なステップを、ワイヤガイド遠位端が体内通路内に配置されるように、ワイヤガイドのあらゆる好適な部分に体内通路に向けられる力を加えることによる等、あらゆる好適な方法でかつあらゆる好適な工程および／または技法を用いて達成することができる。この任意選択的なステップを、あらゆる好適な材料から形成されかつあらゆる好適な長さを有するあらゆる好適なワイヤガイドを用いて達成することができ、当業者は、治療されている体内通路を含むさまざまな考慮事項に基づいて、特定の実施形態に従ってワイヤガイドに対して好適なワイヤガイド、材料および長さを選択することができる。
【０１０２】
完了することができるあらゆる任意選択的なステップは、ワイヤガイド遠位端を体内通路内の治療箇所までまたはそれを越えて前進させることを含む。この任意選択的なステップを、ワイヤガイド遠位端が治療箇所に対して遠位側までまたはそれを越えて前進するように、ワイヤガイドのあらゆる好適な部分に対して、体内通路に向けられる力を加えることによる等、あらゆる好適な方法でかつあらゆる好適な工程および／または技法を用いて達成することができる。別法として、ワイヤガイドを、治療箇所の近位側にまたは治療箇所まで前進させることができる。このステップを、照明されるワイヤガイド、カメラ、あるいは他のあらゆる好適な視覚化技法を用いて、または換気チューブの本体によって提供される触覚フィードバックを通して、経皮的に、ワイヤガイドの直接視覚化の補助（たとえばスコープ）等、あらゆる好適な方法でかつあらゆる好適な工程および／または技法を用いて達成することができる。
【０１０３】
ワイヤガイドが使用されている実施形態では、ステップ１００４に対する代替形態は、ワイヤガイドを、第１医療デバイスによって画定された内腔を通してかつスリーブによって画定された通路を通して前進させ、第１医療デバイスの遠位端が体内通路内に配置されるまで第１医療デバイスを体内通路内に挿入することを含む。この任意選択的なステップを、ワイヤガイド近位端を第１医療デバイスによって画定された内腔およびスリーブによって画定された通路内にかつそれを通して挿入し、選択的流体遮断弁装置１０のあらゆる好適な部分に対して体内通路に向けられる力を加えることによる等、あらゆる好適な方法でかつあらゆる好適な工程および／または技法を用いて達成することができる。
【０１０４】
ステップ１００４に続いて完了することができる任意選択的なステップは、第１医療デバイスの遠位端を体内通路内の治療箇所まで進めることを含む。この任意選択的なステップを、選択的流体遮断弁装置１０および／または第１医療デバイスに対して、体内通路に向けられる力を加えることによる等、あらゆる好適な方法でかつあらゆる好適な工程および／または技法を用いて達成することができる。
【０１０５】
ステップ１００６を、第２医療デバイスに対して、体内通路に向けられる力を加えることにより、および、第２医療デバイスの遠位端を、コネクタ２８によって画定された通路１５２を通して、スリーブ２０によって画定された通路１１６を通して、かつ第１医療デバイスによって画定された内腔を通して、第２医療デバイスの遠位端が体内通路内に配置されるまで挿入することによる等、あらゆる好適な方法でかつあらゆる好適な工程および／または技法を用いて達成することができる。ステップ１００６を、あらゆる医療デバイスを用いて達成することができ、当業者は、行われている治療のタイプを含むさまざまな考慮事項に基づいて、特定の実施形態に従って治療方法で使用するために好適な医療デバイスを選択することができる。選択的流体遮断弁装置を通過しかつ治療方法で使用するために好適であると考えられる医療デバイス例としては、カテーテル、バルーンカテーテル、吸引デバイス、医療デバイス送達デバイス、ワイヤガイド、および特定の治療方法に対して好適であると考えられる他のあらゆる医療デバイスが挙げられる。ステップ１００６を、あらゆる好適な長さ、構造形態を有し、かつあらゆる好適な材料から形成される医療デバイスを用いて達成することができる。
【０１０６】
ステップ１００６の前に完了することができる任意選択的なステップは、ワイヤガイドを引き抜くことを含む。この任意選択的なステップを、ワイヤガイドが体内通路から引き抜かれるまで、ワイヤガイドのあらゆる好適な部分に体内通路から離れるように向けられる力を加えることによる等、あらゆる好適な方法でかつあらゆる好適な工程および／または技法を用いて達成することができる。別法として、第２医療デバイスがワイヤガイドにわたって通されるように意図される場合、ステップ１００６に対する代替形態は、第２医療デバイスによって画定された内腔を通してワイヤガイドの近位端を導入することと、第２医療デバイスの遠位端が体内通路内に配置されるまで、選択的流体遮断弁デバイスおよび第１医療デバイスを通して第２医療デバイスを挿入することとを含む。この代替ステップを、ワイヤガイド近位端を第２医療デバイスによって画定された内腔内にかつそれを通して挿入し、第２医療デバイスのあらゆる好適な部分に体内通路に向けられる力を加えることによる等、あらゆる好適な方法でかつあらゆる好適な工程および／または技法を用いて達成することができる。体内通路に向けられる力は、第２医療デバイスの遠位端が、コネクタによって画定された通路を通って、スリーブによって画定された通路を通って、かつ第１医療デバイスによって画定される内腔を通って前進し通され、体内通路内に配置されるように加えられる。
【０１０７】
ステップ１００８を、第２医療デバイスの遠位端が体内通路内の治療箇所に配置されるように、第２医療デバイスに対して体内通路に向けられる力を加えることによる等、あらゆる好適な方法でかつあらゆる好適な工程および／または技法を用いて達成することができる。ステップ１００８は、第２医療デバイスの遠位端が、体内通路内の治療箇所（たとえば、治療が行われるように意図されている位置）にまたはそれに隣接して配置されるように達成される。
【０１０８】
別法として、ステップ１００８を、第２医療デバイスの遠位端が体内通路内の治療箇所の近くに、その近位側に、または遠位側に配置されるように達成することができる。ステップ１００８の完了に続くかまたはその間に完了することができる任意選択的なステップは、第２医療デバイスの遠位端の位置を確認することを含む。この任意選択的なステップを、あらゆる好適な視覚化技法を用いて達成することができる。好適であると考えられる視覚化技法の例としては、Ｘ線、蛍光透視法、超音波、スコープによる直接視覚化、磁気共鳴画像法、および特定の実施形態に対して好適であると考えられる他のあらゆる視覚化技法が挙げられる。
【０１０９】
任意選択的なステップは、近位端および遠位端を有する第３医療デバイスを、第３医療デバイスの遠位端が体内通路内に配置されるように、選択的流体遮断弁装置および第１医療デバイスを通して挿入することを含む。この任意選択的なステップを、第３医療デバイスに対して体内通路に向けられる力を加えることにより、および第３医療デバイスの遠位端を、コネクタ２８によって画定された通路１５２を通して、スリーブ２０によって画定された通路１１６を通して、かつ第１医療デバイスによって画定された内腔を通して、第３医療デバイスの遠位端が体内通路内に配置されるまで挿入することによる等、あらゆる好適な方法でかつあらゆる好適な工程および／または技法を用いて達成することができる。この任意選択的なステップを、本明細書に記載するもの等、あらゆる好適な医療デバイスを用いて達成することができる。１つ、少なくとも１つ、２つ、複数、３つ、４つ、および特定の治療方法に対して好適であると考えられる他のあらゆる数等、あらゆる好適な数の医療デバイスを、選択的流体遮断弁装置を通して挿入することができる。
【０１１０】
別の任意選択的なステップは、第３医療デバイスの遠位端を体内通路内の治療箇所まで進めることを含む。この任意選択的なステップを、第３医療デバイスの遠位端が体内通路内の治療箇所に、その近くに、それに隣接して、その遠位側にまたは近位側にあるように、第３医療デバイスに対して体内通路に向けられた力を加えることによる等、あらゆる好適な方法でかつあらゆる好適な工程および／または技法を用いて達成することができる。
【０１１１】
ステップ１０１０を、選択的流体遮断弁装置１０が第１形態から第２形態に移動するように、ハウジング１６の位置を維持しながらアクチュエータ１８に対して回転力を加えることによる等、あらゆる好適な方法でかつあらゆる好適な工程および／または技法を用いて達成することができる。選択的流体遮断弁装置１０が第２形態にある時、スリーブ２０は第２形態にあり、それにより、スリーブ２０の内面１２２は第２医療デバイスの外面に接触し、流体はスリーブ２０を通過することが阻止される。スリーブ２０が第２形態にある時、第２医療デバイスは、スリーブ２０から引き抜くことができないように、スリーブ２０に解除可能に取り付けられる。選択的流体遮断弁装置１０に関して、回転力は、選択的流体遮断弁装置１０の長手方向軸１１を中心に右回り方向に加えられる。
【０１１２】
別法として、ワイヤガイドがスリーブ２０によって画定された通路１１６を通して配置される実施形態では、スリーブ２０が第２形態にある時、スリーブ２０の内面１２２はワイヤガイドおよび第２医療デバイスの一方または両方と接触し、流体はスリーブ２０を通過することが阻止される。スリーブ２０が第２形態にある時、第２医療デバイスおよびワイヤガイドは、第２医療デバイスおよびワイヤガイドをスリーブ２０から引き抜くことができないように、スリーブ２０に解除可能に取り付けられる。
【０１１３】
選択的流体遮断弁装置が、選択的流体遮断弁装置８１０等、摺動可能部材であるアクチュエータを含む実施形態では、ステップ１０１０を、選択的流体遮断弁装置が第１形態から第２形態に移動するように、ハウジングの位置を維持しながら、アクチュエータの先端部に対してハウジングの基端部に向けられる力を加えることによる等、あらゆる好適な方法でかつあらゆる好適な工程および／または技法を用いて達成することができる。選択的流体遮断弁装置が第２形態にある時、スリーブは第２形態にあり、それにより、スリーブの内面は第２医療デバイスの外面と接触し、流体はスリーブを通過することが阻止される。スリーブが第２形態にある時、第２医療デバイスは、スリーブから引き抜くことができないようにスリーブに解除可能に取り付けられる。
【０１１４】
選択的医療遮断弁装置が、図２４、図２５、図２６および図２７に示す選択的流体遮断弁装置１１１０等、第２アクチュエータを含む実施形態では、ステップ１０１０を、選択的流体遮断弁装置１１１０が第１形態から第２形態に移動するように、ハウジング１１１６の位置を維持しながら、第２アクチュエータ１２６０に対して回転力を加えることによる等、あらゆる好適な方法でかつあらゆる好適な工程および／または技法を用いて達成することができる。選択的流体遮断弁装置１１１０が第２形態にある時、スリーブ１１２０は第２形態にあり、それにより、スリーブ１１２０の内面は第２医療デバイスの外面と接触し、流体はスリーブ１１２０を通過することが阻止される。スリーブ１１２０が第２形態にある時、第２医療デバイスは、スリーブ１１２０から引き抜くことができないようにスリーブに解除可能に取り付けられる。選択的流体遮断弁装置１１１０に関して、回転力は選択的流体遮断弁装置１１１０の長手方向軸１１１１を中心に右回り方向に加えられる。
【０１１５】
ステップ１０１２を、あらゆる好適な治療を行うことによって達成することができ、ステップ１０１２は、選択的流体遮断弁装置１０および第１医療デバイスの内腔を通過する医療デバイスに基づく。あらゆる好適な治療を行うことができ、当業者は、選択的流体遮断弁装置と第１医療デバイスによって画定された内腔とを通して挿入された医療デバイスを含む、さまざまな考慮事項に基づいて、特定の実施形態に従って行うために好適な治療を選択することができる。行うことが好適であると考えられる治療例としては、バルーン血管形成術が挙げられる。しかしながら、他のあらゆる好適な治療を行うことができる。
【０１１６】
ステップ１０１４を、選択的流体遮断弁装置１０が第２形態から第１形態に移動するように、ハウジング１６の位置を維持しながら、アクチュエータ１８に対して回転力を加えることによる等、あらゆる好適な方法でかつあらゆる好適な工程および／または技法を用いて達成することができる。選択的流体遮断弁装置１０が第１形態にある時、スリーブ２０は第１形態にあり、それにより、流体はスリーブ２０によって画定された通路１１６を通過することができ、第２医療デバイスをスリーブ２０から引き抜くことができる。選択的流体遮断弁装置１０に関して、回転力は、選択的流体遮断弁装置１０の長手方向軸１１を中心に左回り方向に加えられる。
【０１１７】
別法として、ワイヤガイドがスリーブ２０によって画定された通路１１６を通して配置される実施形態では、スリーブ２０が第１形態にある時、第２医療デバイスおよび／またはワイヤガイドをスリーブ２０から引き抜くことができる。
【０１１８】
選択的流体遮断弁装置が、選択的流体遮断弁装置８１０等、摺動可能部材であるアクチュエータを含む実施形態では、ステップ１０１４を、選択的流体遮断弁装置が第２形態から第１形態に移動するように、ハウジングの位置を維持しながら、摺動可能部材の基端部に対してハウジングの先端部に向けられる力を加えることによる等、あらゆる好適な方法でかつあらゆる好適な工程および／または技法を用いて達成することができる。選択的流体遮断弁装置が第１形態にある時、スリーブは第１形態にあり、それにより、流体はスリーブによって画定された通路を通過することができ、第２医療デバイスをスリーブから引き抜くことができる。
【０１１９】
選択的医療遮断弁装置が、図２４、図２５、図２６および図２７に示す選択的流体遮断弁装置１１１０等、第２アクチュエータを含む実施形態では、ステップ１０１４を、選択的流体遮断弁装置１１１０が第２形態から第１形態に移動するように、ハウジング１１１６の位置を維持しながら、第２アクチュエータ１２６０に対して回転力を加えることによる等、あらゆる好適な方法でかつあらゆる好適な工程および／または技法を用いて達成することができる。選択的流体遮断弁装置１１１０が第１形態にある時、スリーブ１１２０は第１形態にあり、それにより、流体はスリーブによって画定された通路を通過することができ、第２医療デバイスをスリーブから引き抜くことができる。選択的流体遮断弁装置１１１０に関して、回転力は、選択的流体遮断弁装置１１１０の長手方向軸１１１１を中心に左回り方向に加えられる。
【０１２０】
ステップ１０１６を、第２医療デバイスが近位方向に前進し、第１医療デバイス、選択的流体遮断弁装置１０および体内通路から引き抜かれるように、第２医療デバイスに対して体内通路から離れるように向けられる力を加えることによる等、あらゆる好適な方法でかつあらゆる好適な工程および／または技法を用いて達成することができる。
【０１２１】
ワイヤガイドが、スリーブ２０によって画定される通路１１６を通して配置される実施形態では、任意選択的なステップは、ワイヤガイドを体内通路および／または選択的流体遮断弁装置から引き抜くことを含む。この任意選択的なステップを、ワイヤガイドが近位方向に前進し、体内通路、第１医療デバイスおよび／または選択的流体遮断弁装置１０から引き抜かれるように、ワイヤガイドに対して体内通路から離れるように向けられる力を加えることによる等、あらゆる好適な方法でかつあらゆる好適な工程および／または技法を用いて達成することができる。
【０１２２】
ステップ１０１８を、第１医療デバイスが近位方向に前進し、体内通路から引き抜かれるように、選択的流体遮断弁装置１０および／または第１医療デバイスのあらゆる好適な部分に対して、体内通路から離れる方向に向けられる力を加えることによる等、あらゆる好適な方法でかつあらゆる好適な工程および／または技法を用いて達成することができる。任意選択的に、ステップ１０１８を、ステップ１０１６と組み合わせて達成することができる。任意選択的に、ワイヤガイドが、スリーブ２０によって画定された通路１１６内に配置される実施形態では、ステップ１０１８を、ワイヤガイドを体内通路から引き抜く任意選択的なステップと組み合わせて達成することができる。
【０１２３】
任意選択的なステップは、第１医療デバイスから選択的流体遮断弁装置を取り除くことを含む。この任意選択的なステップを、第１医療デバイスの位置を維持しながら、コネクタ２８に対して医療デバイスから離れる方向に向けられる力を加えることにより、第１医療デバイスによって画定された内腔からコネクタ２８の先端部１４２を取り除くことによる等、あらゆる好適な方法でかつあらゆる好適な工程および／または技法を用いて達成することができる。
【０１２４】
図２４、図２５、図２６および図２７は、別の選択的流体遮断弁装置１１１０を示す。選択的流体遮断弁装置１１１０は、後述する点を除き、図１、図２、図３、図４、図５、図６、図７、図８Ａ、図８Ｂ、図８Ｃ、図９Ａ、図９Ｂ、図９Ｃ、図１０Ａ、図１０Ｂおよび図１０Ｃに示しかつ上述した選択的流体遮断弁装置１０と同様である。選択的流体遮断弁装置１１１０に関して、図２４、図２５、図２６および図２７における参照番号は、１１００を引いた、図１、図２、図３、図４、図５、図６、図７、図８Ａ、図８Ｂ、図８Ｃ、図９Ａ、図９Ｂ、図９Ｃ、図１０Ａ、図１０Ｂおよび図１０Ｃにおける同じ番号によって参照される同じ構造的要素または特徴を指す。
【０１２５】
図示する実施形態では、選択的流体遮断弁装置１１１０は、ハウジング１１１６、第１アクチュエータ１１１８、スリーブ１１２０、第１ワイヤ部材１１２２、第２ワイヤ部材１１２４、第３ワイヤ部材１１２６、コネクタ１１２８および第２アクチュエータ１２６０を備えている。
【０１２６】
図示する実施形態では、第１アクチュエータ１１１８の本体１１７４は、第１アクチュエータ１１１８の外面１１９６の円周に延在する第２の複数の凹部１２６２と隆起部１２６３とを画定している。第２の複数の凹部１２６２の各凹部は、隆起部１２６３と第１アクチュエータ１１１８の基端部１１７０との間に配置されている。第２の複数の凹部１２６２の各凹部は、第１壁１２６４、第２壁１２６６および基部１２６８によって協働して画定されている。第１壁１２６４および第２壁１２６６の各々は、外面１１９６から内面１１９８に向かって基部１２６８まで延在している。第１壁１２６４は、基部１２６８の第１部分に対して第１角度１２６５で配置されている。第２壁１２６６は、基部１２６８の第２部分に対して第２角度１２６７で配置されている。第１角度１２６５は第２角度１２６７より小さい。図示する実施形態では、第１角度１２６５は９０度に等しく、第２角度１２６７は９０度より大きい。第２の複数の凹部１２６２の各凹部は、後述するように、第２アクチュエータ１２６０によって画定される複数の突起１２８０うちの１つの突起を受け入れるようにサイズが決められかつ構成されている。第２の複数の凹部１２６２は、スリーブ１１２０によって画定された通路１２１６を通して配置されるあらゆるデバイスまたは物体に対して過度に締め付けるのを防止しながら、選択的流体遮断弁装置１１１０を第１形態と第２形態との間で移動させる機構を提供する。
【０１２７】
隆起部１２６３は、外面１１９６から、第１アクチュエータ１１１８によって画定される通路１１７８から離れるように、かつ第１アクチュエータ１１１８の外面１１９６の円周全体に延在している。しかしながら、代替実施形態は、第１アクチュエータの外面の一部に延在する隆起部を含むことができる。隆起部１２６３は、第２アクチュエータ１２６０によって画定された溝１２７８によって受け入れられ、それにより、隆起部１２６３が溝１２７８内に配置された時に、第１アクチュエータ１１１８が第２アクチュエータ１２６０に移動可能に取り付けられる（たとえば、第１アクチュエータ１１１８と第２アクチュエータ１２６０との間にスナップフィット取付が達成される）ようにサイズが決められかつ構成されている。
【０１２８】
第１壁１２６４は、基部１２６８の第１部分に対して９０度に等しい第１角度１２６５で配置されるように示されており、第２壁１２６６は、基部１２６８の第２部分に対して９０度を超える第２角度１２６７で配置されるように示されているが、第１壁および／または第２壁を、基部に対してあらゆる好適な角度で配置することができる。基部の一部に対して第１壁を位置決めするために好適であると考えられる角度の例としては、９０度に等しいか、実質的に等しいかまたは約９０度である角度、９０度未満の角度、９０度を超える角度、鋭角の角度、鈍角の角度、および特定の実施形態に対して好適であると考えられる他のあらゆる角度が挙げられる。基部の一部に対して第２壁を位置決めするのに好適であると考えられる角度の例としては、１３５度に等しいか、実質的に等しいかまたは約１３５度である角度、１３５度未満の角度、１３５度を超える角度、鋭角の角度、鈍角の角度、および特定の実施形態に対して好適であると考えられる他のあらゆる角度が挙げられる。別法として、凹部の第２壁を、第２アクチュエータによって画定された突起の表面の構造配置に対して相補的とすることができる。
【０１２９】
第２の複数の凹部１２６２が示されているが、代替実施形態は、１つまたは複数の突起を含むことができ、各突起はアクチュエータの外面からかつ内面から離れるように延在している。１つまたは複数の突起の各突起を、第１壁、第２壁および上壁によって協働して画定することができ、第２アクチュエータによって画定された凹部に受け入れられるようにサイズを決めかつ構成することができる。第１壁および第２壁の各々は、外面からかつ内面から離れて上壁まで延在する。第１壁は、上壁の第１部分に対して第１角度で配置される。第２壁は、上壁の第２部分に対して第２角度で配置される。第１角度は、第２角度より小さい。突起の上壁の一部に対して第１壁を位置決めするために好適であると考えられる角度の例としては、９０度に等しいか、実質的に等しいかまたは約９０度である角度、９０度未満の角度、９０度を超える角度、鋭角の角度、鈍角の角度、および特定の実施形態に対して好適であると考えられる他のあらゆる角度が挙げられる。突起の上壁の一部に対して第２壁を位置決めするために好適であると考えられる角度の例としては、１３５度に等しいか、実質的に等しいかまたは約１３５度である角度、１３５度未満の角度、１３５度を超える角度、鋭角の角度、鈍角の角度、および特定の実施形態に対して好適であると考えられる他のあらゆる角度が挙げられる。別法として、突起の第２壁を、第２アクチュエータによって画定された突起の表面の構造配置に対して相補的とすることができる。
【０１３０】
第２の複数の凹部１２６２は、第１アクチュエータ１２１８に画定されるものとして示されているが、選択的流体遮断弁装置は、アクチュエータのあらゆる好適な位置に画定されたあらゆる好適な数の凹部を含むことができる。当業者は、実施形態のアクチュエータの構造配置を含むさまざまな考慮事項に基づいて、特定の実施形態に従って、アクチュエータにおいて画定する凹部の好適な数と各凹部を位置決めする好適な位置とを選択することができる。アクチュエータに含めることが好適であると考えられる凹部の数の例としては、１つ、少なくとも１つ、２つ、複数、３つ、４つ、５つ、６つ、７つ、８つ、９つ、１０、１１、１２、および特定の実施形態に対して好適であると考えられる他のあらゆる数が挙げられる。
【０１３１】
図示する実施形態では、第２アクチュエータ１２６０は、基端部１２７０と、先端部１２７２と、通路１２７６、溝１２７８、複数の突起１２８０、外面１２８２および内面１２８４を画定する第２アクチュエータ本体１２７４とを有している。第２アクチュエータ１２６０は、第１アクチュエータ１１１８に移動可能に取り付けられ、図２６に示すように、第１方向１２７１および第２方向１２７３に移動可能である。第２アクチュエータ１２６０の第１方向１２７１における移動により、第１アクチュエータ１１１８がその第１位置からその第２位置まで移動し、第２アクチュエータ１２６０の第２方向１２７３における移動により、第１アクチュエータ１１１８がその第２位置からその第１位置まで移動する。
【０１３２】
図示する実施形態では、第２アクチュエータ１２６０は、第１アクチュエータ１１１８の上で選択的流体遮断弁装置１１１０の長手方向軸１１１１を中心に回転することができる回転可能部材１２６１である。しかしながら、回転可能部材１２６１が示されているが、選択的流体遮断弁装置は、選択的流体遮断弁装置を第１形態と第２形態との間で移動させることができるあらゆる好適なアクチュエータを含むことができる。当業者は、選択的流体遮断弁装置に含まれるワイヤ部材の数および／または第１アクチュエータの構造配置を含むさまざまな考慮事項に基づいて、特定の実施形態に従って選択的流体遮断弁装置に含めるために好適なアクチュエータを選択することができる。選択的流体遮断弁装置に含めるために好適であると考えられるアクチュエータの例としては、回転式アクチュエータ、リニアアクチュエータ、摺動式アクチュエータ、枢動式アクチュエータ、レバー、および特定の実施形態に対して好適であると考えられる他のあらゆるアクチュエータが挙げられる。
【０１３３】
通路１２７６は、基端部１２７０に画定された開口部から１２７２に画定された開口部まで延在している。溝１２７８は、第２アクチュエータ１２６０の内面１２８４において先端部１２７２と複数の突起１２８０との間に画定されている。溝１２７８は、第２アクチュエータハウジング１２７４内に内面１２８４から、選択的流体遮断弁装置１１１０の長手方向軸１１１１から離れるように、かつ第２アクチュエータ１２６０の内面１２８４の円周全体に延在している。しかしながら、代替実施形態は、アクチュエータの内面の円周の一部に延在する溝を含むことができる。溝１２７８は、第１アクチュエータ１１１８の一部（たとえば、隆起部１２６３）を受け入れるようにサイズが決められかつ構成されている。第２アクチュエータ１２６０の先端部１２７２は、隆起部１２６３を溝１２７８内に配置することができるように、第１アクチュエータ１１１８によって画定される隆起部１２６３の上を先端方向に前進するようにサイズが決められかつ構成されている。溝１２７８および隆起部１２６３は、協働して、第１アクチュエータ１１１８を第２アクチュエータ１２６０に移動可能に取り付ける機構（たとえば、スナップフィット構成）を提供する。
【０１３４】
複数の突起１２８０の各突起は、第２アクチュエータ１２６０の内面１２８４から、第２アクチュエータ１２６０の外面１２８２から離れるように、かつ選択的流体遮断弁装置１１１０の長手方向軸１１１１からずれている軸に向かって延在している。図示する実施形態では、複数の突起１２８０の各突起は、湾曲した面１２８６を有している。第１アクチュエータ１１１８が第２アクチュエータ１２６０内で組み立てられると、複数の突起１２８０の各突起は、第２アクチュエータ１２６０の内面１２８４から第２の複数の凹部１２６２のうちの１つの凹部の第１壁１２６４に向かって延在する。
【０１３５】
複数の突起１２８０の各突起は、図２５および図２６に示すような第１形態と、図２７に示すような第２形態との間で移動可能であり、それにより、各突起は、第２アクチュエータ１２６０が第１アクチュエータ１１１８に対して移動する際に偏向することができる。複数の突起１２８０の各突起は、第１形態に付勢され、複数の突起１２８０の各突起の表面１２８６に対して内壁１２８４に向けられる第１力を加えることによる等、あらゆる好適な方法でかつあらゆる好適な工程および／または技法を用いて、各突起を、その第１形態と第２形態との間で移動させることができる。第１アクチュエータ１１１８の第１位置から第２位置への移動を、複数の突起１２８０の各突起が、第１アクチュエータ１１１８に対して第２壁１２６６に向けられる第２力を加えるように、第２アクチュエータ１２６０に対して第１方向１２７１に回転力を加えることによる等、あらゆる好適な方法でかつあらゆる好適な工程および／または技法を用いて達成することができる。第１アクチュエータ１１１８を第２位置に移動させるために必要な第２力は、複数の突起１２８０の各突起を偏向させるために必要な第１力より小さい。したがって、第２アクチュエータ１２６０が第１方向１２７１に移動する際、複数の突起１２８０の各突起は、その表面１２８６が凹部の第２壁１２６６に接触し、第１アクチュエータ１１８の移動をもたらすまで、第２の複数の凹部１２６２のうちの１つの凹部の基部１２６８に沿って前進する。第２アクチュエータ１２６０が第１方向１２７１に移動する時、第１アクチュエータ１１１８はその第１位置からその第２位置まで移動し、それにより、ワイヤ部材１１２２、１１２４、１１２６は、スリーブ１１２０と相互作用してスリーブ１１２０をその第２形態に移動させる。
【０１３６】
第１アクチュエータ１１１８の第２位置から第３位置（たとえば、第２位置を越えかつ第１方向１２７１における位置、スリーブ１１２０によって画定された通路１２１６内に配置されたデバイスまたは構成要素がスリーブ１１２０によって損傷を受けないかまたは過度に締め付けられない位置）への移動を、複数の突起１２８０の各突起が第１アクチュエータ１１１８に対して第２壁１２６４に向けられる第３力を加えるように、第２アクチュエータ１２６０に対して第１方向１２７１における回転力を加える等、あらゆる好適な方法でかつあらゆる好適な工程および／または技法を用いて達成することができる。第１アクチュエータ１１１８を第３位置に移動させるために必要な第３力は、複数の突起１２８０の各突起を偏向させるために必要な第１力より大きい。したがって、第１アクチュエータ１１１８が第２位置にある時、第２アクチュエータ１２６０が第１方向１２７１に移動する際に、複数の突起１２８０の各突起は、その第２形態に偏向し、それにより、第２アクチュエータ１２６０は、第１アクチュエータ１１１８に対して回転し、第１アクチュエータ１１１８がその第３位置から移動するのを防止する。この配置により、スリーブ１１２０によって画定された通路１２１６を通して配置されたあらゆるデバイスまたは構成要素に対する過度な締付または損傷が防止される。
【０１３７】
第１アクチュエータ１１１８の第２位置から第１位置への移動を、複数の突起１２８０の各突起が第１アクチュエータ１１１８に対して第１壁１２６４に向けられる第４力を加えるように、第２アクチュエータ１２６０に対して第２方向１２７３に回転力を加えることによる等、あらゆる好適な方法でかつあらゆる好適な工程および／または技法を用いて達成することができる。複数の突起１２８０の各突起に対する第１壁１２６４の構造形態により、第４力は、リブ１１８４、１１８６、１１８８の各々を複数の凹部１１５２のそのそれぞれの凹部から複数の凹部１１５２の別の異なる凹部に移動させるために必要な力より大きければよい。第２アクチュエータ１２６０が第２方向１２７１に移動する際、複数の突起１２８０の各突起は、凹部の第１壁１２６４に接触し、第１アクチュエータ１１１８の移動をもたらすまで、第２の複数の凹部１２６２のうちの１つの凹部の基部１２６８に沿って前進する。第２アクチュエータ１２６０が第２方向１２７３に移動する時、第１アクチュエータ１１１８は、その第２位置からその第１位置まで移動し、それにより、ワイヤ部材１１２２、１１２４、１１２６は、スリーブ１１２０と相互作用し、スリーブ１１２０をその第１形態に移動させる。
【０１３８】
複数の突起１２８０が示されているが、選択的流体遮断弁装置は、アクチュエータのあらゆる好適な位置に画定されたあらゆる好適な数の突起を含むことができる。当業者は、実施形態の第１アクチュエータの構造配置を含むさまざまな考慮事項に基づいて、特定の実施形態に従って、アクチュエータに画定する突起の好適な数および各突起を位置決めするための好適な位置を選択することができる。アクチュエータに含めることが好適であると考えられる突起の数の例としては、１つ、少なくとも１つ、２つ、複数、３つ、４つ、５つ、６つ、および特定の実施形態に対して好適であると考えられる他のあらゆる数が挙げられる。
【０１３９】
複数の突起１２８０の各突起は、湾曲面１２８６を有するものとして示されているが、アクチュエータによって画定される突起は、あらゆる好適な構造配置を有することができる。アクチュエータによって画定され、かつ別のアクチュエータによって画定された凹部または突起の第２壁に向けられる突起の表面に対して好適であると考えられる構造配置の例としては、湾曲、平面、多面、および特定の実施形態に対して好適であると考えられる他のあらゆる構造配置である表面が挙げられる。
【０１４０】
第１アクチュエータ１１１８および第２アクチュエータ１２６０は、特定の構造配置を有するものとして示されているが、アクチュエータは、あらゆる好適な構造配置を有することができ、選択的流体遮断弁装置に含まれるアクチュエータによって画定される凹部および／または突起の数を含む、さまざまな考慮事項に基づくことができる。たとえば、隆起部は、第１アクチュエータによって画定されるものとして示され、溝は、第２アクチュエータによって画定されるものとして示されているが、第１アクチュエータが溝を画定することができ、第２アクチュエータが隆起部を画定することができる。さらに、複数の突起１２８０は、第２アクチュエータ１２６０の外面１２８２から離れるように延在するものとして示されているが、アクチュエータによって画定された複数の突起は、あらゆる好適な構造配置を有することができる。たとえば、代替的な実施形態は、図１、図２、図３、図４および図５に関して示したリブ８４、８６、８８等のリブ、図２、図３および図６に関して示した複数の凹部５２等の凹部に類似する構造配置を有する１つまたは複数の凹部、ならびに／または、第２アクチュエータの内面に沿って画定された（たとえば、第２の複数の凹部１２６２に類似する）複数の凹部を、各凹部が第１アクチュエータによって画定された偏向可能な（たとえば、複数の突起１２８０に類似する）突起を受け入れるようにサイズが決められかつ構成されるように画定する第２アクチュエータを含むことができる。
【実施例】
【０１４１】
実施例−スリーブを形成するために使用することができる材料の分析
【０１４２】
【表１】
2015208685.tif 000003
【０１４３】
説明
６つのスリーブに対して定量分析を行った。分析されたスリーブを形成するために使用された材料は、表に示す比率の市販のＮｕＳｉｌ  ＭＥＤ−４７５５、ＮｕＳｉｌ  ＭＥＤ−４７６５およびＮｕＳｉｌ  ＭＥＤ−４０１４であった。各スリーブを、図１、図２、図３、図４、図５、図６、図７、図８Ａ、図８Ｂ、図８Ｃ、図９Ａ、図９Ｂ、図９Ｃ、図１０Ａ、図１０Ｂおよび図１０Ｃに示す実施形態と同様であるように構成された選択的流体遮断弁装置に含めた。選択的流体遮断弁装置を、重力流装置に取り付け、２．９ＰＳＩ±−０．１ＰＳＩ（たとえば、収縮期圧）の圧力で試験毎に３０秒間加圧した。各スリーブを、第２形態で、スリーブ通路内にデバイスが配置されていない状態とスリーブ通路内に表１に記載したデバイスが配置されている状態とで試験した。
【０１４４】
結果
試験したスリーブの各々に、分析中のスリーブの性能に基づいて＋と＋＋＋＋との間の主観的定性評価を割り当てた。試験した６つのスリーブのうちの２つ（２／６）により、各試験において漏れが検出されなかった。これらのスリーブの各々には、＋＋＋＋の主観的定性評価を割り当てた。試験した６つのスリーブのうちの１つ（１／６）により、スリーブ通路内に０．０３５インチワイヤが配置された場合に極微量の漏れが検出された。このスリーブには、＋＋＋の主観的定性評価を割り当てた。試験した６つのスリーブのうちの１つ（１／６）により、スリーブ通路内に０．０３５インチワイヤが配置された場合に漏れが検出された。このスリーブには、＋＋の主観的定性評価を割り当てた。試験した６つのスリーブのうちの２つ（２／６）により、各試験において漏れが検出された。これらのスリーブの各々には、＋の主観的定性評価を割り当てた。
【０１４５】
表によって示されるように、約７０％と約８０％との間のＮｕＳｉｌ  ＭＥＤ−４７５５と約２０％と約３０％との間のＮｕＳｉｌ  ＭＥＤ−４０１４とから形成されたスリーブが、選択的流体遮断弁装置に含めるのに好適であると考えられる。たとえば、約８０％のＮｕＳｉｌ  ＭＥＤ−４７５５と約２０％のＮｕＳｉｌ  ＭＥＤ−４０１４とから形成されたスリーブが、選択的流体遮断弁に含めるのに好適であると考えられる。別法として、約７０％のＮｕＳｉｌ  ＭＥＤ−４７５５と約３０％のＮｕＳｉｌ  ＭＥＤ−４０１４とから形成されたスリーブが、選択的流体遮断弁に含めるのに好適であると考えられる。
【０１４６】
当業者は、本開示の教示全体に鑑みて、記載し例示した実施形態に対するさまざまな変更形態および代替形態を発展させることができることを理解するであろう。したがって、開示した特定の構成は、単に例示するものであり、本発明の範囲に関して限定するものではないことが意図されており、本発明の範囲には、添付の特許請求の範囲およびそれらのありとあらゆる均等物のすべてが与えられるべきである。
【符号の説明】
【０１４７】
１０、２１０、４１０、６１０、８１０、１１１０  選択的流体遮断弁装置
１１、２１１、４１１  長手方向軸
１２  基端部
１４  先端部
１６、２１６、４１６、６１６、８１６、１１１６  ハウジング
１８、２１８、４１８、８１８  アクチュエータ
２０、２２０、４２０、６２０、８２０  スリーブ
２２、４２２、６２２、８２２、１１２２  第１ワイヤ部材
２４、６２４、１１２４  第２ワイヤ部材
２６、６２６、１１２６  第３ワイヤ部材
３０、８３０  基端部
３２  先端部
３４、２３４、４３４、８３４  ハウジング本体
４６、２４６  通路
５０  溝
５６、４５６、６５６、８５６  第１開口部
５８、４５８、６５８  第２開口部
６０、６６０  第３開口部
６２  第１空洞
６４  第２空洞
６６  第３空洞
６８  外面
６９  内面
７４、１１７４  アクチュエータ本体
８２  隆起部
９０  第１空洞
９２  第２空洞
９４  第３空洞
９６、１１９６  外面
９８  内面
１１０  基端部
１１２  先端部
１１４、３１４  スリーブ本体
１１６  通路
１２４、５２４  第１端部
１２６、５２６、７２６  第２端部
１２８  第１端部
１３０、７３０  第２端部
１３２  第１端部
１３４  第２端部
３６０  溝
３６２  隆起部
３６４  第１突起
３６６  第２突起
４９０  第１空洞
５２１  外面
８６２  空洞
９２４  第１端部
９２６  第２端部
９８３  アクチュエータ本体
９８５  空洞
１１１８  第１アクチュエータ
１２６０  第２アクチュエータ
１２７４  第２アクチュエータ本体
【図１】
2015208685.tif 000004
【図２】
2015208685.tif 000005
【図３】
2015208685.tif 000006
【図４】
2015208685.tif 000007
【図５】
2015208685.tif 000008
【図６】
2015208685.tif 000009
【図７】
2015208685.tif 000010
【図８Ａ】
2015208685.tif 000011
【図８Ｂ】
2015208685.tif 000012
【図８Ｃ】
2015208685.tif 000013
【図９Ａ】
2015208685.tif 000014
【図９Ｂ】
2015208685.tif 000015
【図９Ｃ】
2015208685.tif 000016
【図１０Ａ】
2015208685.tif 000017
【図１０Ｂ】
2015208685.tif 000018
【図１０Ｃ】
2015208685.tif 000019
【図１１】
2015208685.tif 000020
【図１２】
2015208685.tif 000021
【図１３】
2015208685.tif 000022
【図１４】
2015208685.tif 000023
【図１５】
2015208685.tif 000024
【図１６】
2015208685.tif 000025
【図１７】
2015208685.tif 000026
【図１８】
2015208685.tif 000027
【図１９】
2015208685.tif 000028
【図２０】
2015208685.tif 000029
【図２１】
2015208685.tif 000030
【図２２】
2015208685.tif 000031
【図２３】
2015208685.tif 000032
【図２４】
2015208685.tif 000033
【図２５】
2015208685.tif 000034
【図２６】
2015208685.tif 000035
【図２７】
2015208685.tif 000036